(57)【要約】  本願の実施形態が無線リンク監視方法及び無線リンク監視装置を開示し、本願の実施形態は通信技術の分野に関する。本方法は、端末の上位層がビーム検出結果メッセージを端末の下位層から受信する段階であって、ビーム検出結果メッセージはビーム監視の結果を示すのに用いられる、段階と、端末の上位層が無線リンク監視手順をビーム検出結果メッセージに基づいて制御する段階とを含んでよい。本願は、５Ｇ通信システムに適用され得る。
2020523939.tif 000002
【特許請求の範囲】
【請求項１】
無線リンク監視方法であって、前記方法は、
端末の上位層がビーム検出結果メッセージを前記端末の下位層から受信する段階であって、前記ビーム検出結果メッセージは、ビーム監視の結果を示すのに用いられる、段階と、
前記端末の前記上位層が無線リンク監視手順を前記ビーム検出結果メッセージに基づいて制御する段階と
を備える、方法。
【請求項２】
端末の上位層がビーム検出結果メッセージを前記端末の下位層から受信する前記段階は具体的には、
前記端末の前記上位層がビーム障害回復インジケーション情報を前記端末の前記下位層から受信する段階であって、前記ビーム障害回復インジケーション情報は、ビーム障害回復を示すのに用いられる、段階を有する、請求項１に記載の方法。
【請求項３】
前記端末の前記上位層が無線リンク監視手順を前記ビーム検出結果メッセージに基づいて制御する前記段階は具体的には、
前記端末の前記上位層がタイマを再始動する段階であって、前記タイマは無線リンクの回復時間を設定するように構成される、段階を有する、請求項２に記載の方法。
【請求項４】
前記タイマはタイマＴ３１０である、請求項３に記載の方法。
【請求項５】
前記端末の前記上位層が無線リンク監視手順を前記ビーム検出結果メッセージに基づいて制御する前記段階はさらに、
前記端末の前記上位層が、前記端末の前記上位層により受信される同期ＩＳインジケーション情報の数を０に設定する段階を有する、請求項２から４のいずれか一項に記載の方法。
【請求項６】
前記端末の前記上位層が無線リンク監視手順を前記ビーム検出結果メッセージに基づいて制御する前記段階は具体的には、
前記端末の前記上位層がタイマを停止する段階であって、前記タイマは無線リンクの回復時間を設定するように構成される、段階を有する、請求項２に記載の方法。
【請求項７】
前記端末の前記上位層がビーム障害回復インジケーション情報を前記端末の前記下位層から受信する前記段階は具体的には、
前記端末の前記上位層が前記ビーム障害回復インジケーション情報を前記端末の前記下位層から前記タイマの計時期間に受信する段階であって、前記タイマは前記無線リンクの前記回復時間を設定するように構成される、段階を有する、請求項２から６のいずれか一項に記載の方法。
【請求項８】
端末の上位層がビーム検出結果メッセージを前記端末の下位層から受信する前記段階は具体的には、
前記端末の前記上位層がビーム障害インジケーション情報を前記端末の前記下位層から受信する段階であって、前記ビーム障害インジケーション情報は、ビーム障害を示すのに用いられる、段階を有する、請求項１に記載の方法。
【請求項９】
前記端末の前記上位層が無線リンク監視手順を前記ビーム検出結果メッセージに基づいて制御する前記段階は具体的には、
タイマが始動する前に、前記ビーム障害インジケーション情報が受信された場合、前記端末の前記上位層が前記タイマを始動する段階であって、前記タイマは無線リンクの回復時間を設定するように構成される、段階を有する、請求項８に記載の方法。
【請求項１０】
前記端末の前記上位層が無線リンク監視手順を前記ビーム検出結果メッセージに基づいて制御する前記段階は具体的には、
前記ビーム障害インジケーション情報がタイマの計時期間に受信された場合、無線リンク障害が生じたと前記端末の前記上位層が判定する段階であって、前記タイマは無線リンクの回復時間を設定するように構成される、段階を有する、請求項８に記載の方法。
【請求項１１】
無線リンク監視方法であって、前記方法は、
端末の下位層が無線リンク品質の第１の値を検出する段階であって、前記第１の値は、チャネル状態情報−参照信号ＣＳＩ−ＲＳ及び／又はダウンリンク同期信号ブロックＳＳ  ｂｌｏｃｋの参照信号に基づいて取得される、段階と、
前記第１の値が第１の閾値Ｑｏｕｔより小さい又はこれと等しいと判定された場合、前記端末の前記下位層が第１のインジケーション情報を前記端末の上位層に送信する段階であって、前記第１のインジケーション情報は無線リンクが同期していないことを示すのに用いられる、段階と
を備える、方法。
【請求項１２】
前記第１のインジケーション情報は非同期ＯＯＳインジケーション情報である、請求項１１に記載の方法。
【請求項１３】
前記第１の値が第１の閾値Ｑｏｕｔより小さい又はこれと等しいと判定された場合、前記端末の前記下位層が第１のインジケーション情報を前記端末の上位層に送信する前記段階は、
前記ＳＳ  ｂｌｏｃｋの前記参照信号に基づいて取得される前記無線リンク品質の値と、前記ＣＳＩ  ＲＳに基づいて取得される前記無線リンク品質の値とが両方とも、前記第１の閾値Ｑｏｕｔより小さい又はこれと等しいと判定された場合、前記端末の前記下位層が前記第１のインジケーション情報を前記端末の前記上位層に送信する段階を有する、請求項１１又は１２に記載の方法。
【請求項１４】
端末の下位層が無線リンク品質の第１の値を検出する前記段階は、前記端末の前記下位層が前記第１の値をそれぞれの期間において決定する段階を有する、請求項１１から１３のいずれか一項に記載の方法。
【請求項１５】
前記第１の値が前記ＳＳ  ｂｌｏｃｋの前記参照信号に基づいて取得された場合、前記第１の値は、前記期間における複数のＳＳ  ｂｌｏｃｋの参照信号の無線リンク品質の平均値、前記期間において最高のＲＳＲＰを有する複数の参照信号の無線リンク品質の平均値、前記期間において閾値を超える複数の参照信号の無線リンク品質の平均値、若しくは前記期間における最高の無線リンク品質の値のうちのいずれか１つを含む、且つ／又は、
前記第１の値が前記ＣＳＩ−ＲＳに基づいて取得された場合、前記第１の値は、前記期間における複数のＣＳＩ−ＲＳの無線リンク品質の平均値、前記期間において最高の無線リンク品質を有する複数のＣＳＩ−ＲＳの無線リンク品質の平均値、前記期間において閾値を超える複数のＣＳＩ−ＲＳの無線リンク品質の平均値、若しくは前記期間における最高の無線リンク品質の値のうちのいずれか１つを含む、請求項１４に記載の方法。
【請求項１６】
前記方法はさらに、ネットワークデバイスにより送信される第１のメッセージを前記端末が受信する段階であって、前記第１のメッセージは、前記端末の前記下位層が前記第１の値を前記ＣＳＩ−ＲＳ及び／又は前記ＳＳ  ｂｌｏｃｋの前記参照信号に基づいて取得することを示すのに用いられる、段階を備える、請求項１１から１５のいずれか一項に記載の方法。
【請求項１７】
前記方法はさらに
前記端末の前記下位層が前記無線リンク品質の第２の値を検出する段階であって、前記第２の値は、前記ＣＳＩ−ＲＳ及び／又は前記ＳＳ  ｂｌｏｃｋの前記参照信号に基づいて取得される、段階と、
前記第２の値が第２の閾値Ｑｉｎより大きい又はこれと等しいと判定された場合、前記端末の前記下位層が第２のインジケーション情報を前記端末の前記上位層に送信する段階であって、前記第２のインジケーション情報は、前記無線リンクが同期を回復したことを示すのに用いられる、段階と
を備える、請求項１１に記載の方法。
【請求項１８】
前記第２のインジケーション情報は同期ＩＳインジケーション情報である、請求項１７に記載の方法。
【請求項１９】
前記端末の前記下位層が前記無線リンク品質の第２の値を検出する前記段階は具体的には、
前記端末の前記下位層が前記無線リンク品質の前記第２の値をタイマの計時期間に検出する段階であって、前記タイマは前記無線リンクの回復時間を設定するように構成される、段階を有する、請求項１７又は１８に記載の方法。
【請求項２０】
前記第２の値が第２の閾値Ｑｉｎより大きい又はこれと等しいと判定された場合、前記端末の前記下位層が第２のインジケーション情報を前記端末の前記上位層に送信する前記段階は、
前記ＳＳ  ｂｌｏｃｋの前記参照信号に基づいて取得される前記無線リンク品質の値と、前記ＣＳＩ  ＲＳに基づいて取得される前記無線リンク品質の値とのうちいずれかが、前記第２の閾値Ｑｉｎより大きいと判定された場合、前記端末の前記下位層が前記第２のインジケーション情報を前記端末の前記上位層に送信する段階を有する、請求項１７から１９のいずれか一項に記載の方法。
【請求項２１】
前記端末の前記下位層が前記無線リンク品質の第２の値を検出する前記段階は、前記端末の前記下位層が前記第２の値をそれぞれの期間において取得する段階を有する、請求項１７から２０のいずれか一項に記載の方法。
【請求項２２】
前記第２の値が前記ＳＳ  ｂｌｏｃｋの前記参照信号に基づいて取得された場合、前記第２の値は、前記期間における複数のＳＳ  ｂｌｏｃｋの参照信号の無線リンク品質の平均値、前記期間において最高のＲＳＲＰを有する複数の参照信号の無線リンク品質の平均値、前記期間において閾値を超える複数の参照信号の無線リンク品質の平均値、若しくは前記期間における最高の無線リンク品質の値のうちのいずれか１つを含む、且つ／又は、
前記第２の値が前記ＣＳＩ−ＲＳに基づいて取得された場合、前記第２の値は、前記期間における複数のＣＳＩ−ＲＳの無線リンク品質の平均値、前記期間において最高の無線リンク品質を有する複数のＣＳＩ−ＲＳの無線リンク品質の平均値、前記期間において閾値を超える複数のＣＳＩ−ＲＳの無線リンク品質の平均値、若しくは前記期間における最高の無線リンク品質の値のうちのいずれか１つを含む、請求項２１に記載の方法。
【請求項２３】
前記方法はさらに、ネットワークデバイスにより送信される第１のメッセージを前記端末が受信する段階であって、前記第１のメッセージは、前記端末の前記下位層が前記第２の値を前記ＣＳＩ−ＲＳ及び／又は前記ＳＳ  ｂｌｏｃｋの前記参照信号に基づいて取得することを示すのに用いられる、段階を備える、請求項１７から２２のいずれか一項に記載の方法。
【請求項２４】
前記第１のメッセージは無線リソース制御ＲＲＣメッセージである、請求項１６又は２３に記載の方法。
【請求項２５】
前記期間はＮ個のＳＳ  ｂｕｒｓｔ  ｓｅｔ期間であり、Ｎは１より大きい若しくは１と等しい整数であり、前記ＳＳ  ｂｕｒｓｔ  ｓｅｔ期間のうちの１つは、１つ若しくは複数のＳＳ  ｂｌｏｃｋを含む、又は、
前記期間はＮ個のＣＳＩ−ＲＳ送信期間であり、Ｎは１より大きい若しくは１と等しい整数である、又は、
前記期間は、１つ若しくは複数のＳＳ  ｂｕｒｓｔ  ｓｅｔ期間と、１つ若しくは複数のＣＳＩ  ＲＳ送信期間との公倍数である、請求項１５又は２２に記載の方法。
【請求項２６】
無線リンク監視装置であって、前記装置は、下位層処理ユニット及び上位層処理ユニットを備え、
前記上位層処理ユニットは、
ビーム検出結果メッセージを前記下位層処理ユニットから受信することであって、前記ビーム検出結果メッセージはビーム監視の結果を示すのに用いられる、受信することと、
無線リンク監視手順を前記ビーム検出結果メッセージに基づいて制御することと
を行うように構成される、装置。
【請求項２７】
前記上位層処理ユニットは具体的には、ビーム障害回復インジケーション情報を前記下位層処理ユニットから受信するように構成され、前記ビーム障害回復インジケーション情報はビーム障害回復を示すのに用いられる、請求項２６に記載の装置。
【請求項２８】
前記上位層処理ユニットは具体的には、前記端末の上位層がタイマを再始動することを可能にするように構成され、前記タイマは無線リンクの回復時間を設定するように構成される、請求項２７に記載の装置。
【請求項２９】
前記タイマはタイマＴ３１０である、請求項２８に記載の装置。
【請求項３０】
前記上位層処理ユニットは具体的には、前記端末の前記上位層により受信される同期ＩＳインジケーション情報の数を０に設定するように構成される、請求項２７から２９のいずれか一項に記載の装置。
【請求項３１】
前記上位層処理ユニットは具体的には、タイマを停止するように構成され、前記タイマは無線リンクの回復時間を設定するように構成される、請求項２７に記載の装置。
【請求項３２】
前記上位層処理ユニットは具体的には、前記ビーム障害回復インジケーション情報を前記端末の下位層から前記タイマの計時期間に受信するように構成され、前記タイマは前記無線リンクの前記回復時間を設定するように構成される、請求項２７から３１のいずれか一項に記載の装置。
【請求項３３】
前記上位層処理ユニットは具体的には、ビーム障害インジケーション情報を前記下位層処理ユニットから受信するように構成され、前記ビーム障害インジケーション情報はビーム障害を示すのに用いられる、請求項２６に記載の装置。
【請求項３４】
前記上位層処理ユニットは具体的には、タイマが始動する前に前記ビーム障害インジケーション情報が受信された場合、前記タイマを始動するように構成され、前記タイマは無線リンクの回復時間を設定するように構成される、請求項３３に記載の装置。
【請求項３５】
前記上位層処理ユニットは具体的には、前記ビーム障害インジケーション情報をタイマの計時期間に受信した場合、無線リンク障害が生じたと判定するように構成され、前記タイマは無線リンクの回復時間を設定するように構成される、請求項３３に記載の装置。
【請求項３６】
無線リンク監視装置であって、前記装置は、下位層処理ユニット及び上位層処理ユニットを備え、
前記下位層処理ユニットは、
無線リンク品質の第１の値を検出することであって、前記第１の値は、チャネル状態情報−参照信号ＣＳＩ−ＲＳ及び／又はダウンリンク同期信号ブロックＳＳ  ｂｌｏｃｋの参照信号に基づいて取得される、検出することと、
前記第１の値が第１の閾値Ｑｏｕｔより小さい又はこれと等しいと判定された場合、第１のインジケーション情報を前記上位層処理ユニットに送信することであって、前記第１のインジケーション情報は無線リンクが同期していないことを示すのに用いられる、送信することと
を行うように構成される、無線リンク監視装置。
【請求項３７】
前記第１のインジケーション情報は非同期ＯＯＳインジケーション情報である、請求項３６に記載の無線リンク監視装置。
【請求項３８】
前記第１の値が第１の閾値Ｑｏｕｔより小さい又はこれと等しいと判定された場合、第１のインジケーション情報を前記上位層処理ユニットに前記送信することは、
前記ＳＳ  ｂｌｏｃｋの前記参照信号に基づいて取得される前記無線リンク品質の値と、前記ＣＳＩ  ＲＳに基づいて取得される前記無線リンク品質の値とが両方とも、前記第１の閾値Ｑｏｕｔより小さい又はこれと等しいと判定された場合、前記第１のインジケーション情報を前記上位層処理ユニットに送信することを含む、請求項３６又は３７に記載の無線リンク監視装置。
【請求項３９】
無線リンク品質の第１の値を前記検出することは、前記第１の値をそれぞれの期間において決定することを含む、請求項３６から３８のいずれか一項に記載の無線リンク監視装置。
【請求項４０】
前記第１の値が前記ＳＳ  ｂｌｏｃｋの前記参照信号に基づいて取得された場合、前記第１の値は、前記期間における複数のＳＳ  ｂｌｏｃｋの参照信号の無線リンク品質の平均値、前記期間において最高のＲＳＲＰを有する複数の参照信号の無線リンク品質の平均値、前記期間において閾値を超える複数の参照信号の無線リンク品質の平均値、若しくは前記期間における最高の無線リンク品質の値のうちのいずれか１つを含む、且つ／又は、
前記第１の値が前記ＣＳＩ−ＲＳに基づいて取得された場合、前記第１の値は、前記期間における複数のＣＳＩ−ＲＳの無線リンク品質の平均値、前記期間において最高の無線リンク品質を有する複数のＣＳＩ−ＲＳの無線リンク品質の平均値、前記期間において閾値を超える複数のＣＳＩ−ＲＳの無線リンク品質の平均値、若しくは前記期間における最高の無線リンク品質の値のうちのいずれか１つを含む、請求項３９に記載の無線リンク監視装置。
【請求項４１】
前記無線リンク監視装置はさらに送受信機ユニットを備え、
前記送受信機ユニットは、ネットワークデバイスにより送信される第１のメッセージを受信するように構成され、前記第１のメッセージは、前記第１の値が前記ＣＳＩ−ＲＳ及び／又は前記ＳＳ  ｂｌｏｃｋの前記参照信号に基づいて取得されることを示すのに用いられる、請求項３６から４０のいずれか一項に記載の無線リンク監視装置。
【請求項４２】
前記下位層処理ユニットはさらに、
前記無線リンク品質の第２の値を検出することであって、前記第２の値は前記ＣＳＩ−ＲＳ及び／又は前記ＳＳ  ｂｌｏｃｋの前記参照信号に基づいて取得される、検出することと、
前記第２の値が第２の閾値Ｑｉｎより大きい又はこれと等しいと判定された場合、第２のインジケーション情報を前記上位層処理ユニットに送信することであって、前記第２のインジケーション情報は前記無線リンクが同期を回復したことを示すのに用いられる、送信することと
を行うように構成される、請求項３６に記載の装置。
【請求項４３】
前記第２のインジケーション情報は同期ＩＳインジケーション情報である、請求項４２に記載の装置。
【請求項４４】
前記下位層処理ユニットは具体的には、
前記無線リンク品質の前記第２の値をタイマの計時期間に検出するように構成され、前記タイマは前記無線リンクの回復時間を設定するように構成される、請求項４２又は４３に記載の装置。
【請求項４５】
前記第２の値が第２の閾値Ｑｉｎより大きい又はこれと等しいと判定された場合、第２のインジケーション情報を前記上位層処理ユニットに前記送信することは、
前記ＳＳ  ｂｌｏｃｋの前記参照信号に基づいて取得される前記無線リンク品質の値と、前記ＣＳＩ  ＲＳに基づいて取得される前記無線リンク品質の値とのうちいずれかが、前記第２の閾値Ｑｉｎより大きいと判定された場合、前記第２のインジケーション情報を前記上位層処理ユニットに送信することを含む、請求項４２から４４のいずれか一項に記載の装置。
【請求項４６】
前記無線リンク品質の第２の値を前記検出することは、前記第２の値をそれぞれの期間において決定することを含む、請求項４２から４５のいずれか一項に記載の装置。
【請求項４７】
前記第２の値が前記ＳＳ  ｂｌｏｃｋの前記参照信号に基づいて取得された場合、前記第２の値は、前記期間における複数のＳＳ  ｂｌｏｃｋの参照信号の無線リンク品質の平均値、前記期間において最高のＲＳＲＰを有する複数の参照信号の無線リンク品質の平均値、前記期間において閾値を超える複数の参照信号の無線リンク品質の平均値、若しくは前記期間における最高の無線リンク品質の値のうちのいずれか１つを含む、且つ／又は、
前記第２の値が前記ＣＳＩ−ＲＳに基づいて取得された場合、前記第２の値は、前記期間における複数のＣＳＩ−ＲＳの無線リンク品質の平均値、前記期間において最高の無線リンク品質を有する複数のＣＳＩ−ＲＳの無線リンク品質の平均値、前記期間において閾値を超える複数のＣＳＩ−ＲＳの無線リンク品質の平均値、若しくは前記期間における最高の無線リンク品質の値のうちのいずれか１つを含む、請求項４６に記載の装置。
【請求項４８】
前記装置はさらに送受信機ユニットを備え、
前記送受信機ユニットは、ネットワークデバイスにより送信される第１のメッセージを受信するように構成され、前記第１のメッセージは、前記下位層処理ユニットが前記第２の値を前記ＣＳＩ−ＲＳ及び／又は前記ＳＳ  ｂｌｏｃｋの前記参照信号に基づいて取得することを示すのに用いられる、請求項１７から２２のいずれか一項に記載の装置。
【請求項４９】
前記第１のメッセージは無線リソース制御ＲＲＣメッセージである、請求項４１又は４８に記載の装置。
【請求項５０】
前記期間はＮ個のＳＳ  ｂｕｒｓｔ  ｓｅｔ期間であり、Ｎは１より大きい若しくは１と等しい整数であり、前記ＳＳ  ｂｕｒｓｔ  ｓｅｔ期間のうちの１つは、１つ若しくは複数のＳＳ  ｂｌｏｃｋを含む、又は、
前記期間はＮ個のＣＳＩ−ＲＳ送信期間であり、Ｎは１より大きい若しくは１と等しい整数である、又は、
前記期間は、１つ若しくは複数のＳＳ  ｂｕｒｓｔ  ｓｅｔ期間と、１つ若しくは複数のＣＳＩ  ＲＳ送信期間との公倍数である、請求項４０又は４７に記載の装置。
【請求項５１】
無線リンク監視装置であって、前記装置はプロセッサとメモリとを備え、前記プロセッサは請求項１から２５のいずれか一項に記載の方法において対応する機能を実行する際に、前記装置をサポートするように構成され、前記メモリは前記プロセッサに連結されるように構成され、前記メモリは、前記装置に必要なプログラム及びデータを格納するように構成される、無線リンク監視装置。
【請求項５２】
コンピュータ可読記憶媒体であって、前記コンピュータ可読記憶媒体はコンピュータプログラムを格納し、前記プログラムがプロセッサにより実行されると、請求項１から２５のいずれか一項に記載の方法が実行される、コンピュータ可読記憶媒体。
【請求項５３】
コンピュータプログラム製品であって、前記製品がコンピュータで実行されると、前記コンピュータは、請求項１から２５のいずれか一項に記載の方法を実行することが可能になる、コンピュータプログラム製品。
【発明の詳細な説明】
【技術分野】
【０００１】
本願の実施形態は通信技術の分野に関し、具体的には、無線リンク監視方法及び無線リンク監視装置に関する。
【背景技術】
【０００２】
ロングタームエボリューション（英語表記：ｌｏｎｇ  ｔｅｒｍ  ｅｖｏｌｕｔｉｏｎ、略してＬＴＥ）システムでは、接続モードにある端末が現在のサービングセルのダウンリンク品質を評価するのに、無線リンク監視（英語表記：ｒａｄｉｏ  ｌｉｎｋ  ｍｏｎｉｔｏｒｉｎｇ、略してＲＬＭ）が用いられる。接続モードにある端末が、ダウンリンク品質が端末の要件を満たすことができないと評価した場合、端末は、新たなセルを探索して選択し、無線リンクを再確立する。ＬＴＥシステムでは、無線リンク品質がセル固有の参照信号（英語表記：ｃｅｌｌ  ｓｐｅｃｉｆｉｃ  ｒｅｆｅｒｅｎｃｅ  ｓｉｇｎａｌ、略してＣＲＳ）に基づいて測定される。しかしながら、５Ｇ通信システムにはビーム伝送が導入され、各サブフレームで送信されるＣＲＳは考慮されていない。したがって、ＬＴＥシステムにおけるＲＬＭ技術が、５Ｇ通信システムの展開に適合できない。したがって、新たな無線リンク監視方法が早急に必要とされる。
【発明の概要】
【０００３】
本願は、無線リンク監視方法及び無線リンク監視装置を提供し、５Ｇ通信システムに適用され得る。
【０００４】
第１の態様によれば、本願は、無線リンク監視方法及び無線リンク監視装置を提供する。
【０００５】
可能性のある設計例において、本方法は、端末の上位層がビーム検出結果メッセージを端末の下位層から受信する段階であって、ビーム検出結果メッセージはビーム監視の結果を示すのに用いられる、段階と、端末の上位層が無線リンク監視手順をビーム検出結果メッセージに基づいて制御する段階とを含んでよい。この技術的解決手段では、無線リンク監視手順はビーム検出手順に関連している。詳細については、以下の説明を参照されたい。
【０００６】
可能性のある設計例において、端末の上位層がビーム検出結果メッセージを端末の下位層から受信する段階は具体的には、端末の上位層がビーム障害回復インジケーション情報を端末の下位層から受信する段階であって、ビーム障害回復インジケーション情報はビーム障害回復を示すのに用いられる、段階を含んでよい。この場合、任意選択で、端末の上位層が無線リンク監視手順をビーム検出結果メッセージに基づいて制御する段階は、以下の方式１又は方式２で実装されてよい。
【０００７】
方式１：タイマが再始動する、且つ／又は、端末の上位層により受信される同期ＩＳインジケーション情報の数が０に設定される。このようにして、無線リンクが回復したことを迅速に判定することができる。
【０００８】
方式２：タイマが停止する。このようにして、現在のセルにおいて無線リンクが回復したかどうかを端末が判定する時間が長くなるので、無線リンクが当該セルで回復できるかどうかがより正確に判定され得る。
【０００９】
任意選択で、端末の上位層は、ビーム障害回復インジケーション情報を端末の下位層からタイマの計時期間に受信する。
【００１０】
可能性のある設計例において、端末の上位層がビーム検出結果メッセージを端末の下位層から受信する段階は具体的には、端末の上位層がビーム障害インジケーション情報を端末の下位層から受信する段階であって、ビーム障害インジケーション情報はビーム障害を示すのに用いられる、段階を含んでよい。この場合、任意選択で、端末の上位層が無線リンク監視手順をビーム検出結果メッセージに基づいて制御する段階は、以下の方式３又は方式４で実装されてよい。
【００１１】
方式３：タイマが始動する前に、ビーム障害インジケーション情報が受信された場合、端末の上位層はタイマを始動する。このようにして、無線リンク品質異常が迅速に判定され得るので、無線リンク回復が可能な限り迅速に達成され得る。
【００１２】
方式４：ビーム障害インジケーション情報がタイマの計時期間に受信された場合、端末の上位層は無線リンク障害が生じていると判定する。このようにして、セルの探索及び選択手順が可能な限り迅速に開始され得るので、無線リンク回復が可能な限り迅速に達成され得る。
【００１３】
上記に提供された任意の技術的解決手段におけるタイマは、無線リンクの回復時間を設定するように構成されてよい。具体的には、タイマは、無線リンクが切れる前に、無線リンクの回復時間を設定するように構成され得る。任意選択で、タイマは、無線リンクの最大回復時間を設定するように構成される。例えば、タイマはタイマＴ３１０であってよい。
【００１４】
同様に、本願は無線リンク監視装置を提供し、本装置は、第１の態様の無線リンク監視方法を実装してよい。例えば、本装置はチップ（ベースバンドチップ又は通信チップなど）であってもよく、又は端末であってもよく、また本装置は、ソフトウェア若しくはハードウェアを用いることにより、又は対応するソフトウェアをハードウェアで実行することにより、前述の方法を実装してよい。
【００１５】
可能性のある設計例において、本装置はプロセッサ及びメモリを含んでよい。プロセッサは、第１の態様の方法における対応する機能を実行する際に、本装置をサポートするように構成される。メモリはプロセッサに連結するように構成され、メモリは、本装置に必要なプログラム（命令）及びデータを格納する。さらに、本装置は、本装置と別のネットワークエレメントとの間の通信をサポートするように構成された通信インタフェースを含んでよい。通信インタフェースは送受信機であってよい。
【００１６】
可能性のある設計例において、本装置は、下位層処理ユニット及び上位層処理ユニットを含んでよい。上位層処理ユニットは、ビーム検出結果メッセージを下位層処理ユニットから受信することであって、ビーム検出結果メッセージはビーム監視の結果を示すのに用いられる、受信することと、無線リンク監視手順をビーム検出結果メッセージに基づいて制御することとを行うように構成される。
【００１７】
可能性のある設計例において、上位層処理ユニットは具体的には、ビーム障害回復インジケーション情報を下位層処理ユニットから受信するように構成されてよく、ビーム障害回復インジケーション情報はビーム障害回復を示すのに用いられる。この場合、任意選択で、上位層処理ユニットが無線リンク監視手順をビーム検出結果メッセージに基づいて制御することは、上記の方式１又は方式２で実装されてよい。
【００１８】
可能性のある設計例において、上位層処理ユニットは具体的には、ビーム障害インジケーション情報を下位層処理ユニットから受信するように構成されてよく、ビーム障害インジケーション情報はビーム障害を示すのに用いられる。この場合、任意選択で、上位層処理ユニットが無線リンク監視手順をビーム検出結果メッセージに基づいて制御することは、上記の方式３又は方式４で実装されてよい。
【００１９】
第２の態様によれば、本願はさらに、無線リンク監視方法及び無線リンク監視装置を提供する。
【００２０】
可能性のある設計例において、本方法は、端末の下位層が無線リンク品質の第１の値を検出する段階であって、第１の値は、チャネル状態情報−参照信号（英語表記：ｃｈａｎｎｅｌ  ｓｔａｔｅ  ｉｎｆｏｒｍａｔｉｏｎ  ｒｅｆｅｒｅｎｃｅ  ｓｉｇｎａｌ、略してＣＳＩ−ＲＳ）及び／又はダウンリンク同期信号ブロック（英語表記：ｓｙｎｃｈｒｏｎｉｚａｔｉｏｎ  ｓｉｇｎａｌ  ｂｌｏｃｋ、略してＳＳ  ｂｌｏｃｋ）の参照信号に基づいて取得される、段階と、第１の値が第１の閾値より小さい又はこれと等しいと判定された場合、端末の下位層が第１のインジケーション情報を端末の上位層に送信する段階であって、第１のインジケーション情報は無線リンクが同期していないことを示すのに用いられる、段階とを含んでよい。任意選択で、第１のインジケーション情報は非同期（英語表記：ｏｕｔ−ｏｆ−ｓｙｎｃ、略してＯＯＳ）インジケーション情報である。この技術的解決手段では、無線リンク品質はＣＳＩ−ＲＳ及び／又はＳＳ  ｂｌｏｃｋの参照信号に基づいて取得され、無線リンク監視が実行される。したがって、本方法は５Ｇ通信システムに適用され得る。
【００２１】
可能性のある設計例において、本方法はさらに、端末の下位層が無線リンク品質の第２の値を検出する段階であって、第２の値はＣＳＩ−ＲＳ及び／又はＳＳ  ｂｌｏｃｋの参照信号に基づいて取得される、段階と、第２の値が第２の閾値より小さい又はこれと等しいと判定された場合、端末の下位層が第２のインジケーション情報を端末の上位層に送信する段階であって、第２のインジケーション情報は無線リンクが同期を回復したことを示すのに用いられる、段階とを含む。任意選択で、第２のインジケーション情報は同期（英語表記：ｉｎ−ｓｙｎｃ、略してＩＳ）インジケーション情報である。
【００２２】
可能性のある設計例において、端末の下位層が無線リンク品質の第２の値を検出する段階は具体的には、端末の下位層が無線リンク品質の第２の値をタイマＴ３１０の計時期間に検出する段階を含んでよい。任意選択で、タイマＴ３１０の計時期間に、端末の下位層は、ある期間の間隔で無線リンク品質を検出し、第２の値を取得してよい。当該期間の関連説明については、以下の説明を参照されたい。詳細は、ここで説明しない。
【００２３】
同様に、本願は無線リンク監視装置を提供し、本装置は第２の態様の無線リンク監視方法を実装してよい。例えば、本装置はチップ（ベースバンドチップ又は通信チップなど）であってもよく、又は端末であってもよく、また本装置は、ソフトウェア若しくはハードウェアを用いることにより、又は対応するソフトウェアをハードウェアで実行することにより、前述の方法を実装してよい。
【００２４】
可能性のある設計例において、本装置はプロセッサ及びメモリを含んでよい。プロセッサは、第２の態様の方法における対応する機能を実行する際に、本装置をサポートするように構成される。メモリはプロセッサに連結するように構成され、メモリは、本装置に必要なプログラム（命令）及びデータを格納する。さらに、本装置は、本装置と別のネットワークエレメントとの間の通信をサポートするように構成された通信インタフェースを含んでよい。通信インタフェースは送受信機であってよい。
【００２５】
可能性のある設計例において、本装置は、下位層処理ユニット及び上位層処理ユニットを含んでよい。下位層処理ユニットは、無線リンク品質の第１の値を検出することであって、第１の値はチャネル状態情報−参照信号ＣＳＩ−ＲＳ及び／又はダウンリンク同期信号ブロックＳＳ  ｂｌｏｃｋの参照信号に基づいて取得される、検出することと、第１の値が第１の閾値より小さい又はこれと等しいと判定された場合、第１のインジケーション情報を上位層処理ユニットに送信することであって、第１のインジケーション情報は無線リンクが同期していないことを示すのに用いられる、送信することとを行うように構成される。任意選択で、第１のインジケーション情報は非同期ＯＯＳインジケーション情報である。
【００２６】
可能性のある設計例において、下位層処理ユニットはさらに、無線リンク品質の第２の値を検出することであって、第２の値はＣＳＩ−ＲＳ及び／又はＳＳ  ｂｌｏｃｋの参照信号に基づいて取得される、検出することと、第２の値が第２の閾値より小さい又はこれと等しいと判定された場合、第２のインジケーション情報を上位層処理ユニットに送信することであって、第２のインジケーション情報は無線リンクが同期を回復したことを示すのに用いられる、送信することとを行うように構成される。任意選択で、第２のインジケーション情報は同期ＩＳインジケーション情報である。
【００２７】
可能性のある設計例において、下位層処理ユニットは具体的には、無線リンク品質の第２の値をタイマＴ３１０の計時期間に検出するように構成される。
【００２８】
可能性のある設計例において、下位層処理ユニット及び上位層処理ユニットは、２つのチップに別々に配置されてもよく１つのチップに統合されてもよい。
【００２９】
可能性のある設計例において、下位層処理ユニット及び上位層処理ユニットは、２つのチップに別々に配置されてもよく、１つのチップに統合されてもよい。
【００３０】
第３の態様によれば、本願はさらに、インジケーション方法及びインジケーション装置を提供する。
【００３１】
可能性のある設計例において、本方法は、ネットワークデバイスが第１のメッセージを端末に送信する段階であって、第１のメッセージは、端末が無線リンク品質の値を参照信号に基づいて取得する際の方式を示すのに用いられる、段階を含んでよい。この技術的解決手段では、ネットワークデバイスは、第１のメッセージを用いて無線リンク品質の値を取得する方式を示すので、無線リンク品質の値をどのように取得するかを端末が把握していないという技術的課題が解決される。
【００３２】
同様に、本願はインジケーション装置を提供し、本装置は第３の態様のインジケーション方法を実装してよい。例えば、本装置はネットワークデバイスであってよく、本装置は、ソフトウェア若しくはハードウェアを用いることにより、又は対応するソフトウェアをハードウェアで実行することにより、前述の方法を実装してよい。
【００３３】
可能性のある設計例において、本装置はプロセッサ及びメモリを含んでよい。プロセッサは、第３の態様の方法における対応する機能を実行する際に、本装置をサポートするように構成される。メモリはプロセッサに連結するように構成され、メモリは、本装置に必要なプログラム（命令）及びデータを格納する。さらに、本装置は、本装置と別のネットワークエレメントとの間の通信をサポートするように構成された通信インタフェースを含んでよい。通信インタフェースは送受信機であってよい。
【００３４】
可能性のある設計例において、本装置は送受信機ユニットを含んでよい。送受信機ユニットは、第１のメッセージを端末に送信するように構成され、第１のメッセージは、端末が無線リンク品質の値を参照信号に基づいて取得する際の方式を示すのに用いられる。
【００３５】
第４の態様によれば、本願はさらに、無線リンク品質を取得する方法及び装置を提供する。
【００３６】
可能性のある設計例において、本方法は、端末が第１のメッセージを受信し、次いで、無線リンク品質の値を参照信号に基づいて取得する方式を、第１のメッセージに基づいて決定する段階を含んでよい。この技術的解決手段では、ネットワークデバイスは、第１のメッセージを用いて無線リンク品質の値を取得する方式を示すので、無線リンク品質の値をどのように取得するかを端末が把握していないという技術的課題が解決される。
【００３７】
同様に、本願は無線リンク品質を取得する装置を提供し、本装置は第４の態様のインジケーション方法を実装してよい。例えば、本装置は端末であってよく、本装置は、ソフトウェア若しくはハードウェアを用いることにより、又は対応するソフトウェアをハードウェアで実行することにより、前述の方法を実装してよい。
【００３８】
可能性のある設計例において、本装置はプロセッサ及びメモリを含んでよい。プロセッサは、第４の態様の方法における対応する機能を実行する際に、本装置をサポートするように構成される。メモリはプロセッサに連結するように構成され、メモリは、本装置に必要なプログラム（命令）及びデータを格納する。さらに、本装置は、本装置と別のネットワークエレメントとの間の通信をサポートするように構成された通信インタフェースを含んでよい。通信インタフェースは送受信機であってよい。
【００３９】
可能性のある設計例において、本装置は、送受信機ユニット及び処理ユニットを含んでよい。送受信機ユニットは、第１のメッセージを受信するように構成される。処理ユニットは、無線リンク品質の値を参照信号に基づいて取得する方式を、第１のメッセージに基づいて決定するように構成される。
【００４０】
第３の態様又は第４の態様において提供される任意の技術的解決手段に基づいて、無線リンク品質の値を参照信号に基づいて取得する方式は、無線リンク品質の値をＳＳ  ｂｌｏｃｋの参照信号に基づいて生成する、又は無線リンク品質の値をＣＳＩ−ＲＳに基づいて生成する、又は無線リンク品質の値をＳＳ  ｂｌｏｃｋの参照信号及びＣＳＩ  ＲＳに基づいて生成する、のうちの１つ又は複数であってよい。
【００４１】
本願はさらに、コンピュータ記憶媒体を提供し、コンピュータ記憶媒体はコンピュータプログラム（命令）を格納し、プログラム（命令）がコンピュータで実行されると、コンピュータは前述の態様のいずれか１つによる方法を実行することが可能になる。
【００４２】
本願はさらに、コンピュータプログラム製品を提供し、コンピュータプログラム製品がコンピュータで実行されると、コンピュータは前述の態様のいずれか１つによる方法を実行することが可能になる。
【００４３】
上記に提供された任意の装置、コンピュータ記憶媒体、又はコンピュータプログラム製品は、前述の説明で提供された対応する方法を実行するように構成されることが理解されるであろう。したがって、任意の装置、コンピュータ記憶媒体、又はコンピュータプログラム製品により達成され得る有益な効果については、対応する方法の有益な効果を参照されたい。詳細は、再度ここで説明しない。
【図面の簡単な説明】
【００４４】
【図１】本願の一実施形態による、技術的解決手段が適用可能なシステムアーキテクチャの概略図である。
【００４５】
【図２】本願の一実施形態による、ＬＴＥシステムでのＲＬＭの概略フローチャートである。
【００４６】
【図３】本願の一実施形態による、図２に示す技術的解決手段のプロセスの概略図である。
【００４７】
【図４】本願の一実施形態による、図２に示す技術的解決手段のシーケンス図である。
【００４８】
【図５】本願の一実施形態によるビーム検出の概略フローチャートである。
【００４９】
【図６】本願の一実施形態による、図５に示す技術的解決手段のプロセスの概略図である。
【００５０】
【図７】本願の一実施形態による無線リンク監視方法の概略フローチャートである。
【００５１】
【図８】本願の一実施形態による別の無線リンク監視方法の概略フローチャートである。
【００５２】
【図９】本願の一実施形態による、図８に示す技術的解決手段のシーケンス図である。
【００５３】
【図１０】本願の一実施形態による別の無線リンク監視方法の概略フローチャートである。
【００５４】
【図１１】本願の一実施形態による、図１０に示す技術的解決手段のシーケンス図である。
【００５５】
【図１２】本願の一実施形態による別の無線リンク監視方法の概略フローチャートである。
【００５６】
【図１３】本願の一実施形態による、図１２に示す技術的解決手段のシーケンス図である。
【００５７】
【図１４】本願の一実施形態による別の無線リンク監視方法の概略フローチャートである。
【００５８】
【図１５】本願の一実施形態による、図１４に示す技術的解決手段のシーケンス図である。
【００５９】
【図１６】本願の一実施形態による無線リンク監視装置の概略構造図である。
【発明を実施するための形態】
【００６０】
本願において提供される技術的解決手段は、ＲＬＭ技術が導入される様々な通信システムに適用され得る。例えば、ＲＬＭ技術、５Ｇ通信システム、将来の進化型システム、又は複数の通信融合システムが、既存の通信システムに基づいて導入される。複数の応用シナリオ、例えば、マシン間（英語表記：ｍａｃｈｉｎｅ  ｔｏ  ｍａｃｈｉｎｅ、略してＭ２Ｍ）通信シナリオ、Ｄ２Ｍ通信シナリオ、マクロ−マイクロ間通信シナリオ、高速大容量（英語表記：ｅｎｈａｎｃｅ  ｍｏｂｉｌｅ  ｂｒｏａｄｂａｎｄ、略してｅＭＢＢ）通信シナリオ、超高信頼低遅延通信（英語表記：ｕｌｔｒａ  ｒｅｌｉａｂｌｅ  ＆  ｌｏｗ  ｌａｔｅｎｃｙ  ｃｏｍｍｕｎｉｃａｔｉｏｎ、略してｕＲＬＬＣ）シナリオ、大規模マシンタイプ通信（英語表記：ｍａｓｓｉｖｅ  ｍａｃｈｉｎｅ  ｔｙｐｅ  ｃｏｍｍｕｎｉｃａｔｉｏｎ、略してｍＭＴＣ）シナリオがあり得る。これらのシナリオは、限定されるものではないが、端末と端末との間の通信シナリオ、ネットワークデバイスとネットワークデバイスとの間の通信シナリオ、及びネットワークデバイスと端末との間の通信シナリオなどを含んでよい。あるいは、本願において提供される技術的解決手段は、５Ｇ通信システムにおける、端末と端末との間の通信シナリオ、又はネットワークデバイスとネットワークデバイスとの間の通信シナリオなどに適用されてよい。
【００６１】
図１は、通信システムの概略図である。通信システムは、少なくとも１つのネットワークデバイス１００（１つのネットワークデバイス１００のみが示されている）と、ネットワークデバイス１００に接続された１つ又は複数の端末２００とを含んでよい。
【００６２】
ネットワークデバイス１００は、端末２００と通信できるデバイスであってよい。ネットワークデバイス１００は、中継ノード又はアクセスポイントなどであってよい。ネットワークデバイス１００は、移動通信用グローバルシステム（英語表記：ｇｌｏｂａｌ  ｓｙｓｔｅｍ  ｆｏｒ  ｍｏｂｉｌｅ  ｃｏｍｍｕｎｉｃａｔｉｏｎ、略してＧＳＭ（登録商標））又は符号分割多元接続（英語表記：ｃｏｄｅ  ｄｉｖｉｓｉｏｎ  ｍｕｌｔｉｐｌｅ  ａｃｃｅｓｓ、略してＣＤＭＡ）ネットワークにおけるベーストランシーバ基地局（英語表記：ｂａｓｅ  ｔｒａｎｓｃｅｉｖｅｒ  ｓｔａｔｉｏｎ、略してＢＴＳ）であってもよく、広帯域符号分割多元接続（英語表記：ｗｉｄｅｂａｎｄ  ｃｏｄｅ  ｄｉｖｉｓｉｏｎ  ｍｕｌｔｉｐｌｅ  ａｃｃｅｓｓ、略してＷＣＤＭＡ（登録商標））におけるＮＢ（英語表記：ＮｏｄｅＢ）であってもよく、ＬＴＥにおけるｅＮＢ又はｅＮｏｄｅＢ（英語表記：ｅｖｏｌｕｔｉｏｎａｌ  ＮｏｄｅＢ）であってもよい。ネットワークデバイス１００は代替的に、クラウド型無線アクセスネットワーク（英語表記：ｃｌｏｕｄ  ｒａｄｉｏ  ａｃｃｅｓｓ  ｎｅｔｗｏｒｋ、略してＣＲＡＮ）シナリオにおける無線制御装置であってもよい。ネットワークデバイス１００は代替的に、５Ｇネットワークにおけるネットワークデバイスであっても、将来の進化型ネットワークにおけるネットワークデバイスであってもよく、又はウェアラブルデバイス若しくは車載デバイスなどであってもよい。
【００６３】
端末２００は、ユーザ機器（英語表記：ｕｓｅｒ  ｅｑｕｉｐｍｅｎｔ、略してＵＥ）、アクセス端末、ＵＥユニット、ＵＥ局、移動局、モバイルコンソール、遠隔局、遠隔端末、モバイルデバイス、ＵＥ端末、端末、無線通信デバイス、ＵＥエージェント、又はＵＥ装置などであってよい。アクセス端末は、セルラ方式電話、コードレス電話セット、セッション開始プロトコル（英語表記：ｓｅｓｓｉｏｎ  ｉｎｉｔｉａｔｉｏｎ  ｐｒｏｔｏｃｏｌ、略してＳＩＰ）電話、無線ローカルループ（英語表記：ｗｉｒｅｌｅｓｓ  ｌｏｃａｌ  ｌｏｏｐ、略してＷＬＬ）局、携帯情報端末（英語表記：ｐｅｒｓｏｎａｌ  ｄｉｇｉｔａｌ  ａｓｓｉｓｔａｎｔ、略してＰＤＡ）、無線通信機能を備えたハンドヘルドデバイス若しくはコンピューティングデバイス、無線モデムに接続された別の処理デバイス、車載デバイス、ウェアラブルデバイス、将来の５Ｇネットワークにおける端末、又は将来の進化型ＰＬＭＮネットワークにおける端末などであってよい。
【００６４】
図２は、ＬＴＥシステムにおけるＲＬＭの概略フローチャートである。図２に示す方法が、以下に挙げる段階を含んでよい。
【００６５】
Ｓ１０１：端末の下位層（例えば物理層）が、各無線フレーム（英語表記：ｒａｄｉｏ  ｆｒａｍｅ）（すなわち１０ｍｓ（ミリ秒））における無線リンク品質（英語表記：ｒａｄｉｏ  ｌｉｎｋ  ｑｕａｌｉｔｙ）の値を決定し、当該値を例えばＱｏｕｔで表され得る予め設定された閾値と比較し、当該値がＱｏｕｔより小さい場合、非同期（英語表記：ｏｕｔ−ｏｆ−ｓｙｎｃ、略してＯＯＳ）インジケーション情報を端末の上位層（例えばレイヤ３）に報告する。
【００６６】
無線リンク品質の値は、端末の下位層（例えば物理層）が信号対雑音比（英語表記：ｓｉｇｎａｌ−ｔｏ−ｎｏｉｓｅ  ｒａｔｉｏ、略してＳＮＲ）評価をセル固有の参照信号（英語表記：ｃｅｌｌ−ｓｐｅｃｉｆｉｃ  ｒｅｆｅｒｅｎｃｅ  ｓｉｇｎａｌｓ、略してＣＲＳ）の無線リンク品質インジケータに対して、無線フレームごとに最初の２００ｍｓで実行することにより取得される。無線リンク品質インジケータ（ＳＮＲ評価インジケータとも呼ばれる）は、例えば、限定されるものではないが、参照信号受信電力（英語表記：ｒｅｆｅｒｅｎｃｅ  ｓｉｇｎａｌ  ｒｅｃｅｉｖｉｎｇ  ｐｏｗｅｒ、略してＲＳＲＰ）及び参照信号受信品質（英語表記：ｒｅｆｅｒｅｎｃｅ  ｓｉｇｎａｌ  ｒｅｃｅｉｖｉｎｇ  ｑｕａｌｉｔｙ、略してＲＳＲＱ）であってよい。
【００６７】
Ｓ１０２：端末の下位層により報告されるＮ３１０個の連続したＯＯＳインジケーション情報を受信した後に、端末の上位層はタイマＴ３１０を始動する。計時期間がＴ３１０に設定される。Ｎ３１０は、１より大きい又は１と等しい整数であってよい。
【００６８】
Ｓ１０３：Ｔ３１０の計時期間に、端末の下位層は各無線フレームにおける無線リンク品質の値を決定し、当該値を例えばＱｉｎで表され得る予め設定された閾値と比較し、当該値がＱｉｎより大きい場合、同期（英語表記：ｉｎ−ｓｙｎｃ、略してＩＳ）インジケーション情報を端末の上位層に報告する。
【００６９】
Ｓ１０４：端末の下位層により報告されるＮ３１１個の連続したＩＳインジケーション情報を受信した場合、端末の上位層はＴ３１０を停止する。Ｎ３１１は、１より大きい又は１と等しい整数であってよい。
【００７０】
端末の上位層が、端末の下位層により報告されるＮ３１０個の連続したＯＯＳインジケーション情報を受信したとすれば、この場合、無線リンク品質が異常であることが示されている。端末はＴ３１０を始動し、Ｔ３１０の計時期間に、無線リンクを回復できるかどうかを判定する。Ｔ３１０の計時期間に、端末の上位層が端末の下位層により報告されるＮ３１１個の連続したＩＳインジケーション情報を受信した場合、端末はＴ３１０を停止し、この場合、端末は無線リンクが回復したとみなす。これで、この無線リンク監視手順は終了する。
【００７１】
Ｓ１０５：Ｔ３１０が終了しているが、端末の下位層により報告されるＮ３１１個の連続したＩＳインジケーション情報を端末の上位層が受信していない場合、端末の上位層は、無線リンク障害（英語表記：ｒａｄｉｏ  ｌｉｎｋ  ｆａｉｌｕｒｅ、略してＲＬＦ）が生じたと判定し、タイマＴ３１１を始動する。計時期間がＴ３１１に設定される。
【００７２】
Ｔ３１１に設定される計時期間は、Ｔ３１０に設定される計時期間と等しくても、等しくなくてもよい。
【００７３】
Ｓ１０６：Ｔ３１１の計時期間に、端末はセルの探索及び選択を行う。Ｔ３１１が終了したときに、端末が新たなセルをまだ発見していない場合、端末は休止モード（英語表記：ｉｄｌｅ  ｍｏｄｅ）に入る。
【００７４】
端末はＴ３１１を始動して、Ｔ３１１の計時期間に、無線リンク回復（英語表記：ｒａｄｉｏ  ｌｉｎｋ  ｒｅｃｏｖｅｒｙ）がセルの探索及び選択によって実施できたかどうかを判定する。Ｔ３１１の計時期間に、端末が新たなセルを発見した場合、これは、無線リンク回復がセルの探索及び選択によって達成されたことを示しており、端末はＴ３１１を停止する。端末は、無線リンク回復がセルの探索及び選択によって達成されたとみなす。
【００７５】
図３は、図２に示す技術的解決手段のプロセスの概略図である。図３において、正常状態とは、無線リンク品質異常が検出される前の、接続モードにある端末の状態である。ＲＬＭプロセスとは、正常状態からＴ３１０の終了までのプロセスである。ＲＬＭプロセスが正常状態においていつ開始するとみなされるかは、本願において限定されず、また実装プロセスの複数の方式に基づいて柔軟に設計されてよい。図３は、ほんの一例にすぎない。無線リンク回復プロセスとは、Ｔ３１１の計時期間におけるプロセスである。
【００７６】
図４は、図２に示す技術的解決手段のシーケンス図である。図４では、端末の上位層が始動したＴ３１０の計時期間に、Ｎ３１１個のＩＳインジケーション情報が受信された場合、これは、無線リンクが回復したとみなされるので、Ｔ３１０は停止する。Ｎ３１１個のＩＳインジケーション情報が、Ｔ３１０の計時期間に受信されていない場合、これは、無線リンク障害（すなわちＲＬＦ）が生じたとみなされる。セルの探索及び選択などのプロセスは、図４に示されていない。
【００７７】
ビーム（英語表記：ｂｅａｍ）の概念が通信システムに導入された後に、ビーム検出技術がさらに導入されている。ビームとは、通信リソースである。ビームには、ワイドビーム、ナロービーム、又は別のタイプのビームが含まれてよい。ビームを形成する技術が、ビームフォーミング（英語表記：ｂｅａｍｆｏｒｍｉｎｇ）技術又は別の技術的手段であってよい。ビームフォーミング技術は具体的には、デジタルビームフォーミング技術でも、アナログビームフォーミング技術でも、ハイブリッドビームフォーミング技術でもよい。異なるビームが、異なるリソースとみなされてよい。同じ情報又は異なる情報が、異なるビームを用いて送信されてよい。任意選択で、同じ又は類似の通信機能を有する複数のビームが、１本のビームとみなされてよい。１本のビームが、１つ又は複数のアンテナポートに対応してよく、またデータチャネル、制御チャネル、及びサウンディング信号などを伝送するのに用いられる。例えば、送信ビームとは、信号がアンテナから送り出された後に、空間の異なる方向に形成される信号強度の分布を指すことがある。受信ビームとは、アンテナから受信される無線信号の、空間の異なる方向に形成される信号強度の分布を指すことがある。
【００７８】
図５は、ビーム検出の概略フローチャートである。図５に示す方法が、以下に挙げる段階を含んでよい。
【００７９】
Ｓ２０１：端末、例えば端末の下位層が、１つ又は複数のサービングビーム（英語表記：ｓｅｒｖｉｎｇ  ｂｅａｍ）を用いて基地局により送信される参照信号のインジケータの値を検出し、当該値を閾値と比較し、当該値が閾値より小さい場合、ビーム障害（英語表記：ｂｅａｍ  ｆａｉｌｕｒｅ）が生じたと判定する。インジケータは、限定されるものではないが、例えばＲＳＲＰ又はＲＳＲＱであってよい。閾値は、前述の説明のＱｏｕｔと等しくても、等しくなくてもよい。
【００８０】
基地局は、複数のビームを生成してよく、サービングビームは、複数のビームのうちの、端末にサービスを提供するビームである。
【００８１】
Ｓ２０２：端末、例えば端末の下位層は、別のビーム（別のビームはサービングビーム以外のビームであってよい）を用いて基地局により送信される参照信号を検出し、少なくとも１つの参照信号の品質インジケータの値が閾値より大きい又はこれと等しいと判定された場合、ビーム障害回復（英語表記：ｂｅａｍ  ｆａｉｌｕｒｅ  ｒｅｃｏｖｅｒｙ）が行われたと判定する。品質インジケータは、限定されるものではないが、例えばＲＳＲＰ又はＲＳＲＱであってよい。閾値は、前述の説明のＱｉｎと等しくても、等しくなくてもよい。参照信号を送信するためのビームは、新たなサービングビームである。
【００８２】
Ｓ２０３：端末は、ビーム障害回復要求（英語表記：ｂｅａｍ  ｆａｉｌｕｒｅ  ｒｅｃｏｖｅｒｙ  ｒｅｑｕｅｓｔ）を基地局に送信し、ビーム障害回復要求は、新たなサービングビームを示す情報を含んでよい。
【００８３】
Ｓ２０４：基地局はビーム構成情報を端末に送信し、端末は、ビーム構成情報を受信した後に、ビーム構成を行い、ビーム構成情報確認応答を基地局に返す。その後、端末は、新たなサービングビームを用いて基地局により送信される情報を受信してよい。ビーム検出プロセスでは、段階Ｓ２０４が任意選択の段階であることが理解されるであろう。
【００８４】
図６は、図５に示す技術的解決手段の一例を示す。図６では、基地局は４つのビーム（ビーム１〜４でそれぞれ表されている）を生成する。本願は、これに限定されない。Ｓ２０１において、端末のサービングビームはビーム３であり、ビーム３は、図６の（ａ）に示すように、障害物などによって途切れている。Ｓ２０２において端末の下位層は、図６の（ｂ）に示すように、ビーム１、２、及び４を用いて送信される参照信号を検出し、ビーム１を新たなサービングビームと判定する。Ｓ２０３において端末は、図６の（ｃ）に示すように、ビーム１を用いてビーム障害回復要求を基地局に送信する。任意選択で、Ｓ２０４において基地局は、図６の（ｄ）に示すように、ビーム１を用いてビーム構成情報を端末に送信する。端末は、図６の（ｅ）に示すように、ビーム１を用いてビーム構成情報確認応答を基地局に送信する。
【００８５】
本願における用語「下位層」は、物理層（すなわち、レイヤ１）及び／又はデータリンク層（すなわち、レイヤ２）を含み、「上位層」は、レイヤ３を含むことに留意されたい。本願におけるタイマＴ３１０は、無線リンクの回復時間を設定するように構成されてよく、具体的には、無線リンクの最大回復時間を設定するように構成されてよい。タイマＴ３１１は、セルの探索及び選択の時間を設定するように構成されてよく、具体的には、セルの探索及び選択の最大時間を設定するように構成されてよい。
【００８６】
さらに、本明細書における用語「複数の（ａ  ｐｌｕｒａｌｉｔｙ  ｏｆ）」は、２つ又はそれより多くを意味することに留意されたい。本明細書における用語「第１の（ｆｉｒｓｔ）」及び「第２の（ｓｅｃｏｎｄ）」などは、異なる対象を単に区別することが意図されており、それらの順序を限定しない。本明細書における用語「及び／又は（ａｎｄ／ｏｒ）」は、関連する対象を説明するための対応関係のみを表現しており、３つの関係が存在し得ることを表している。例えば、Ａ及び／又はＢは、Ａのみが存在する、Ａ及びＢの両方が存在する、Ｂのみが存在するという３つの場合を表し得る。さらに、本明細書における記号「／」は一般に、関連する対象間の「又は（ｏｒ）」の関係を表しており、式に含まれる記号「／」は、関連する対象間の「割り算」の関係を表している。
【００８７】
以下では、本願において提供される技術的解決手段を、無線リンク監視方法の観点から説明する。本願の任意の実施形態において、Ｎ３１０及びＮ３１１は両方とも、１より大きい又は１と等しい整数であってよいことに留意されたい。さらに本願では、端末の下位層が無線リンク品質を周期的に判定することが、一例として説明に用いられている。本願は、これに限定されない。例えば、無線リンク品質の判定がトリガされてよい。
【００８８】
図７は、本願による無線リンク監視方法の概略フローチャートである。本方法は、以下に挙げる段階を含む。
【００８９】
Ｓ３０１：端末の下位層が無線リンク品質の値を決定し（当該値はそれぞれの期間において決定されてよい）、当該値を予め設定されたＱｏｕｔと比較し、当該値がＱｏｕｔより小さい場合、ＯＯＳインジケーション情報を端末の上位層に報告する。無線リンク品質の値は、ＣＳＩ−ＲＳ及び／又はＳＳ  ｂｌｏｃｋの参照信号に基づいて取得されてよく、例えば、ＣＳＩ−ＲＳ及び／又はＳＳ  ｂｌｏｃｋの参照信号の無線リンク品質インジケータに対して、現在の期間の前の期間にＳＮＲ評価を行うことにより取得されてよい。Ｑｏｕｔは、ＬＴＥシステムのＱｏｕｔと同じであっても、それとは異なっていてもよい。任意選択で、ＣＳＩ−ＲＳはビーム管理（英語表記：ｂｅａｍ  ｍａｎａｇｅｍｅｎｔ）に用いられてもよく、ビーム障害検出／回復（英語表記：ｂｅａｍ  ｆａｉｌｕｒｅ  ｄｅｔｅｃｔｉｏｎ／ｒｅｃｏｖｅｒｙ）に用いられてもよく、モビリティ測定に用いられてもよい。このことは、本願において限定されない。
【００９０】
Ｓ３０２については、前述のＳ１０２を参照されたい。もちろん、本願はこれに限定されない。
【００９１】
Ｓ３０３：Ｔ３１０の計時期間に、端末の下位層は無線リンク品質の値を決定し（当該値はそれぞれの期間において決定されてよい）、当該値を予め設定されたＱｉｎと比較し、当該値がＱｉｎより大きい場合、ＩＳインジケーション情報を端末の上位層に報告する。無線リンク品質の値は、ＣＳＩ  ＲＳ及び／又はＳＳ  ｂｌｏｃｋの参照信号に基づいて取得され、例えば、ＣＳＩ  ＲＳ及び／又はＳＳ  ｂｌｏｃｋの参照信号の無線リンク品質インジケータに対して、現在の期間の前の期間にＳＮＲ評価を行うことにより取得されてよい。Ｓ３０３の期間は、Ｓ３０１の期間と同じであっても、それとは異なっていてもよい。Ｑｉｎは、ＬＴＥシステムのＱｉｎと同じであっても、それとは異なっていてもよい。
【００９２】
Ｓ３０４からＳ３０６については、前述のＳ１０４からＳ１０６を参照されたい。もちろん、本願はこれに限定されない。
【００９３】
本願の一実施形態において、無線リンク品質の値は、ＳＳ  ｂｌｏｃｋの参照信号の無線リンク品質インジケータに対して、現在の期間の前の期間にＳＮＲ評価を行うことにより取得されてよい。例えば、Ｓ３０１において、当該期間は現在の期間の前の最後の２００ｍｓであってよい。Ｓ３０３において、当該期間は現在の期間の前の最後の１００ｍｓであってよい。もちろん、本願はこれに限定されない。ＳＳ  ｂｌｏｃｋの参照信号は、限定されるものではないが、例えば、主同期信号（英語表記：ｐｒｉｍａｒｙ  ｓｙｎｃｈｒｏｎｉｚａｔｉｏｎ  ｓｉｇｎａｌ、略してＰＳＳ）、副同期信号（英語表記：ｓｅｃｏｎｄａｒｙ  ｓｙｎｃｈｒｏｎｉｚａｔｉｏｎ  ｓｉｇｎａｌ、略してＳＳＳ）、又は物理ブロードキャストチャネル（英語表記：ｐｈｙｓｉｃａｌ  ｂｒｏａｄｃａｓｔ  ｃｈａｎｎｅｌ、略してＰＢＣＨ）復調参照信号（英語表記：ｄｅｍｏｄｕｌａｔｉｏｎ  ｒｅｆｅｒｅｎｃｅ  ｓｉｇｎａｌ、略してＤＭＲＳ）のうちの少なくとも１つであってよい。無線リンク品質インジケータは、限定されるものではないが、例えばＲＳＲＰ又はＲＳＲＱであってよい。期間は、Ｎ個のＳＳ  ｂｕｒｓｔ  ｓｅｔ期間、例えば、２０×Ｎ（ｍｓ）であってよく、Ｎは１より大きい又は１と等しい整数である。１つのＳＳ  ｂｕｒｓｔ  ｓｅｔ期間は、１つ又は複数のＳＳ  ｂｌｏｃｋを含んでよい。１つの期間が複数のＳＳ  ｂｌｏｃｋを含む場合、無線リンク品質の値は、限定されるものではないが、例えば、当該期間における複数のＳＳ  ｂｌｏｃｋの参照信号の無線リンク品質の平均値、当該期間において最高のＲＳＲＰを有する複数の参照信号の無線リンク品質の平均値、当該期間において閾値を超える無線リンク品質を有する複数の参照信号の無線リンク品質の平均値、又は当該期間における最高の無線リンク品質の値のうちのいずれか１つであってよい。
【００９４】
本願の別の実施形態において、無線リンク品質の値は、チャネル状態情報−参照信号（英語表記：ｃｈａｎｎｅｌ  ｓｔａｔｅ  ｉｎｆｏｒｍａｔｉｏｎ  ｒｅｆｅｒｅｎｃｅ  ｓｉｇｎａｌ、略してＣＳＩ−ＲＳ）の無線リンク品質インジケータに対して、現在の期間の前の期間にＳＮＲ評価を行うことにより取得されてよい。例えば、Ｓ３０１において、当該期間は、現在の期間の前の最後の２００ｍｓであってよい。例えば、Ｓ３０３において、当該期間は現在の期間の前の最後の１００ｍｓであってよい。もちろん、本願はこれに限定されない。無線リンク品質インジケータは、限定されるものではないが、例えばＲＳＲＰ又はＲＳＲＱであってよい。当該期間は、Ｎ個のＣＳＩ−ＲＳ送信期間、例えば、４０×Ｎ（ｍｓ）であってよく、Ｎは１より大きい又は１と等しい整数である。無線リンク品質の値は、限定されるものではないが、例えば、１つの期間における複数のＣＳＩ−ＲＳの無線リンク品質の平均値、１つの期間において最高の無線リンク品質を有する複数のＣＳＩ−ＲＳの無線リンク品質の平均値、１つの期間において閾値を超える無線リンク品質を有する複数のＣＳＩ−ＲＳの無線リンク品質の平均値、又は１つの期間における最高の無線リンク品質の値のうちのいずれか１つであってよい。
【００９５】
本願の別の実施形態において、端末は、ＳＳ  ｂｌｏｃｋの参照信号及びＣＳＩ−ＲＳを用いて無線リンク監視を行ってよい。任意選択で、期間は、１つ又は複数のＳＳ  ｂｕｒｓｔ  ｓｅｔ期間と１つ又は複数のＣＳＩ  ＲＳ送信期間との公倍数であってよい。本実施形態において、ＳＳ  ｂｌｏｃｋの参照信号に基づいて取得される無線リンク品質の値は、限定されるものではないが、例えば、当該期間における複数のＳＳ  ｂｌｏｃｋの参照信号の無線リンク品質の平均値、当該期間において最高のＲＳＲＰを有する複数の参照信号の無線リンク品質の平均値、当該期間において閾値を超える無線リンク品質を有する複数の参照信号の無線リンク品質の平均値、又は当該期間における最高の無線リンク品質の値のうちのいずれか１つであってよい。ＣＳＩ  ＲＳに基づいて取得される無線リンク品質の値は、限定されるものではないが、例えば、当該期間における複数のＳＳ  ｂｌｏｃｋの参照信号の無線リンク品質の平均値、当該期間において最高のＲＳＲＰを有する複数の参照信号の無線リンク品質の平均値、当該期間において閾値を超える無線リンク品質を有する複数の参照信号の無線リンク品質の平均値、又は当該期間における最高の無線リンク品質の値のうちのいずれか１つであってよい。
【００９６】
任意選択で、ＳＳ  ｂｌｏｃｋの参照信号に基づいて取得される無線リンク品質の値と、ＣＳＩ  ＲＳに基づいて取得される無線リンク品質の値との両方がＱｏｕｔより小さい場合、端末の下位層はＯＯＳインジケーション情報を端末の上位層に報告する。あるいは、ＳＳ  ｂｌｏｃｋの参照信号に基づいて取得される無線リンク品質の値と、ＣＳＩ  ＲＳに基づいて取得される無線リンク品質の値とのうちいずれかがＱｏｕｔより小さい場合、端末の下位層はＯＯＳインジケーション情報を端末の上位層に報告する。あるいは、ＳＳ  ｂｌｏｃｋの参照信号に基づいて取得される無線リンク品質の値と、ＣＳＩ  ＲＳに基づいて取得される無線リンク品質の値とが（例えば、加重和によって）マージされ、マージ後に取得される値がＱｏｕｔより小さい場合、端末の下位層はＯＯＳインジケーション情報を端末の上位層に報告する。もちろん、本願はこれに限定されない。
【００９７】
任意選択で、ＳＳ  ｂｌｏｃｋの参照信号に基づいて取得される無線リンク品質の値と、ＣＳＩ  ＲＳに基づいて取得される無線リンク品質の値との両方がＱｉｎより大きい場合、端末の下位層はＩＳインジケーション情報を端末の上位層に報告する。あるいは、ＳＳ  ｂｌｏｃｋの参照信号に基づいて取得される無線リンク品質の値と、ＣＳＩ  ＲＳに基づいて取得される無線リンク品質の値とのうちいずれかがＱｉｎより大きい場合、端末の下位層はＩＳインジケーション情報を端末の上位層に報告する。あるいは、ＳＳ  ｂｌｏｃｋの参照信号に基づいて取得される無線リンク品質の値と、ＣＳＩ  ＲＳに基づいて取得される無線リンク品質の値とが（例えば、加重和によって）マージされ、マージ後に取得される値がＱｉｎより大きい場合、端末の下位層はＩＳインジケーション情報を端末の上位層に報告する。もちろん、本願はこれに限定されない。
【００９８】
ＳＳ  ｂｌｏｃｋの参照信号とＣＳＩ  ＲＳとのうちいずれか又はその両方に基づいて、端末が無線リンク品質の値を取得するかどうかは、プロトコルを用いて端末と基地局との間で予め指定されてもよく、第１のメッセージを用いて基地局により端末に提供されてもよいことに留意されたい。第１のメッセージは、限定されるものではないが、例えば、無線リソース制御（ｒａｄｉｏ  ｒｅｓｏｕｒｃｅ  ｃｏｎｔｒｏｌ、ＲＲＣ）、媒体アクセス制御（ｍｅｄｉｕｍ  ａｃｃｅｓｓ  ｃｏｎｔｒｏｌ、ＭＡＣ）、又はダウンリンク制御情報（ｄｏｗｎｌｉｎｋ  ｃｏｎｔｒｏｌ  ｉｎｆｏｒｍａｔｉｏｎ、ＤＣＩ）のうちのいずれか１つであってよい。具体的な方法が以下のとおりであってよい。すなわち、ネットワークデバイスが第１のメッセージを端末に送信し、第１のメッセージは、端末が無線リンク品質の値を参照信号に基づいて取得する際の方式を示すのに用いられる。端末は第１のメッセージを受信し、次いで、無線リンク品質の値を参照信号に基づいて取得する方式を決定する。無線リンク品質の値を参照信号に基づいて取得する方式は、無線リンク品質の値をＳＳ  ｂｌｏｃｋの参照信号に基づいて生成する、又は無線リンク品質の値をＣＳＩ−ＲＳに基づいて生成する、又は無線リンク品質の値をＳＳ  ｂｌｏｃｋの参照信号及びＣＳＩ  ＲＳに基づいて生成する、のうちの１つ又は複数であってよい。複数のネットワークエレメントが本願の本実施形態の説明に用いられるが、本願において保護される解決手段は、全てのネットワークエレメントが含まれている必要はない。
【００９９】
図８は、本願による無線リンク監視方法の概略フローチャートである。本方法は、以下に挙げる段階を含む。
【０１００】
Ｓ４０１〜Ｓ４０３については、Ｓ３０１〜Ｓ３０３を参照されたい。もちろん、本願はこれに限定されない。
【０１０１】
Ｓ４０４：端末の下位層により送信される１つ若しくは複数のビーム障害回復インジケーション情報を受信した場合、又は複数の連続したビーム障害回復インジケーション情報を受信した場合、端末の上位層はＴ３１０を停止する。これで、この無線リンク監視手順は終了する。Ｔ３１０が停止したときに、端末の上位層は、端末の下位層により報告されるＮ３１１個の連続したＩＳインジケーション情報をまだ受信していない。
【０１０２】
端末の上位層がビーム障害回復を検出することは、端末が別のビームを用いて基地局と通信してよいことを示す。この場合、Ｔ３１０は停止する。本実施形態では、ＬＴＥシステムでの解決手段と比較すると、無線リンクが回復したことが迅速に判定され得る。
【０１０３】
任意選択で、端末の下位層により報告されるＮ３１１個の連続したＩＳインジケーション情報を受信した場合、端末の上位層はＴ３１０を停止する。これで、この無線リンク監視手順は終了する。Ｔ３１０が停止したときに、端末の上位層はビーム障害回復をまだ検出していない。この段階及びＳ４０４は並列した段階であることが、理解されるであろう。この２つの段階は、以下のように理解されるであろう。すなわち、端末の上位層は、ビーム障害回復を検出した場合、且つ／又は端末の下位層により報告されるＮ３１１個の連続したＩＳインジケーション情報を受信した場合、Ｔ３１０を停止する。
【０１０４】
図５を参照すると、ビーム監視手順が端末の下位層により行われることが分かるであろう。本願において提供されるいくつかの実施形態では、ビーム障害回復を検出した場合、ビームの下位層は１つのビーム障害回復インジケーション情報を端末の上位層に送信してよく、ビーム障害回復インジケーション情報は、端末の下位層がビーム障害回復を検出したことを示すのに用いられる。端末の上位層が１つ又は複数のビーム障害回復インジケーション情報を受信した場合、又は端末の上位層が複数の連続したビーム障害回復インジケーション情報を受信した場合、上位層がビーム障害回復を検出したと判定される。端末の下位層が引き続いてビーム検出を実行してよいことが、理解されるであろう。本願では、下位層がビーム検出を実行するトリガ条件が限定されない。したがって、端末は、ビーム障害回復インジケーション情報を基地局に複数回送信してよい。さらに、ビームに対する環境などの要因の影響のために、下位層は通常、ビーム障害回復が行われたことを非周期的に判定するので、下位層はビーム障害回復インジケーション情報を上位層に非周期的に送信してよい。任意選択で、ビーム障害回復インジケーション情報はＩＳインジケーション情報であってもよく、新たなインジケーション情報であってもよい。
【０１０５】
Ｓ４０５〜Ｓ４０６については、Ｓ３０５〜Ｓ３０６を参照されたい。もちろん、本願はこれに限定されない。
【０１０６】
Ｓ４０５では、Ｔ３１０が終了したときに、端末の上位層はビーム障害回復をまだ検出していない、且つ端末の下位層により報告されるＮ３１１個の連続したＩＳインジケーション情報をまだ受信していない。
【０１０７】
本実施形態において提供される技術的解決手段のシーケンス図が、図９に示されている。
【０１０８】
図１０は、本願による無線リンク監視方法の概略フローチャートである。本方法は、以下に挙げる段階を含む。
【０１０９】
Ｓ５０１〜Ｓ５０３については、Ｓ３０１〜Ｓ３０３を参照されたい。もちろん、本願はこれに限定されない。
【０１１０】
Ｓ５０４：端末の下位層により送信される１つ若しくは複数のビーム障害回復インジケーション情報を受信した場合、又は複数の連続したビーム障害回復インジケーション情報を受信した場合、端末の上位層はＴ３１０を再始動する、且つ／又は端末の上位層により受信されるＩＳインジケーション情報の数を０に設定する。
【０１１１】
端末の上位層がビーム障害回復を検出する実装例については、前述の説明を参照されたい。詳細は、再度ここで説明しない。端末の上位層がビーム障害回復を検出することは、端末が別のビームを用いて基地局と通信してよいことを示す。この場合、Ｔ３１０は再始動する、且つ／又は端末の上位層により受信されるＩＳインジケーション情報の数は０に設定される。言い換えれば、Ｔ３１０は計時を再度始動する、且つ／又は端末の上位層により受信されるＩＳインジケーション情報の数は再度０から累積される。本実施形態では、ＬＴＥシステムでの解決手段とは異なり、現在のセルで無線リンクが回復したかどうかを端末が判定する時間が長くなるので、無線リンクが当該セルで回復できるかどうかがより正確に判定され得る。
【０１１２】
Ｓ５０５〜Ｓ５０７については、Ｓ３０４〜Ｓ３０６を参照されたい。もちろん、本願はこれに限定されない。
【０１１３】
本実施形態において提供される技術的解決手段のシーケンス図が、図１１に示されている。
【０１１４】
図１２は、本願による無線リンク監視方法の概略フローチャートである。本方法は、以下に挙げる段階を含む。
【０１１５】
Ｓ６０１については、Ｓ３０１を参照されたい。もちろん、本願はこれに限定されない。
【０１１６】
Ｓ６０２：端末の下位層により送信される１つ又は複数のビーム障害インジケーション情報を受信した場合、又は複数の連続したビーム障害インジケーション情報を受信した場合、端末の上位層はＴ３１０を始動する。計時期間がタイマＴ３１０に設定される。タイマＴ３１０が始動したときに、端末の上位層は、端末の下位層により報告されるＮ３１０個の連続したＯＯＳインジケーション情報をまだ受信していない。
【０１１７】
端末の上位層がビーム障害を検出した場合、これは、サービングビームの品質が比較的低いことを示している。この場合、Ｔ３１０が始動する。本実施形態では、ＬＴＥシステムでの解決手段とは異なり、無線リンク品質異常が迅速に判定され得るので、無線リンク回復が可能な限り迅速に達成され得る。
【０１１８】
任意選択で、本方法はさらに、端末の上位層が、端末の下位層により報告されるＮ３１０個の連続したＯＯＳインジケーション情報を受信しているが、ビーム障害をまだ検出していない場合、Ｔ３１０を始動する段階を含んでよい。
【０１１９】
本願において提供されるいくつかの実施形態において、ビーム障害を検出した場合、ビームの下位層は１つのビーム障害インジケーション情報を端末の上位層に送信してよく、ビーム障害インジケーション情報は、下位層がビーム障害を検出したことを示すのに用いられる。端末の上位層が１つ又は複数のビーム障害インジケーション情報を受信した場合、又は端末の上位層が複数の連続したビーム障害インジケーション情報を受信した場合、上位層がビーム障害を検出したと判定される。ビームについては、下位層は通常、ビーム障害が生じたことを非周期的に判定するので、下位層はビーム障害インジケーション情報を上位層に非周期的に送信してよいことが理解されるであろう。任意選択で、ビーム障害インジケーション情報はＯＯＳインジケーション情報であってもよく、新たなインジケーション情報であってもよい。
【０１２０】
Ｓ６０３〜Ｓ６０６については、Ｓ３０３〜Ｓ３０６を参照されたい。もちろん、本願はこれに限定されない。
【０１２１】
本実施形態において提供される技術的解決手段のシーケンス図が、図１３に示されている。
【０１２２】
図１４は、本願による無線リンク監視方法の概略フローチャートである。本方法は、以下に挙げる段階を含む。
【０１２３】
Ｓ７０１〜Ｓ７０３については、Ｓ３０１〜Ｓ３０３を参照されたい。もちろん、本願はこれに限定されない。
【０１２４】
Ｓ７０４：端末の下位層により送信される１つ又は複数のビーム障害回復インジケーション情報を受信した場合、又は複数の連続したビーム障害回復インジケーション情報を受信した場合、端末の上位層は、ＲＬＦが生じたと判定し、タイマＴ３１１を始動する。端末の上位層がビーム障害を検出した場合、Ｔ３１０は終了せず、端末の下位層により報告されるＮ３１１個の連続したＩＳインジケーション情報を受信しない。
【０１２５】
端末の上位層によりビーム障害を検出することに関する説明については、前述の説明を参照されたい。詳細は、再度ここで説明しない。端末の上位層がビーム障害を検出したとき、この場合、これは、サービングビームの品質が比較的低いことを示している。この場合、ＲＬＦがすぐに判定され得る結果、セルの探索及び選択手順が可能な限り迅速に始動され得るので、無線リンク回復が可能な限り迅速に達成され得る。
【０１２６】
任意選択で、Ｔ３１０が終了していないときに、端末の下位層により報告されるＮ３１１個の連続したＩＳインジケーション情報を端末の上位層が受信した場合、又は、Ｔ３１０が終了し、端末の下位層により報告されるＮ３１１個の連続したＩＳインジケーション情報を端末の上位層が受信していない場合、関連する実装例については、前述の説明を参照されたい。詳細は、再度ここで説明しない。さらに、Ｔ３１０が終了し、端末の上位層がビーム障害を検出せず、且つ端末の下位層により報告されるＮ３１１個の連続したＩＳインジケーション情報を受信していない場合、Ｔ３１１が始動する。
【０１２７】
Ｓ７０５については、Ｓ３０６を参照されたい。もちろん、本願はこれに限定されない。
【０１２８】
添付図面の図８、図１０、図１２、及び図１４のうちのいずれか１つは図７に基づいて描かれていることに留意されたい。本願は、これに限定されない。例えば、これらの実施形態において、無線リンク品質インジケータは、ＣＳＩ−ＲＳ及びＳＳ  ｂｌｏｃｋの参照信号に基づいて取得されるように限定されなくてもよい。さらに、前述の説明において提供される任意の２つの実施形態が独立していてもよく、複数の実施形態の一部又は全ての特徴が、これらの特徴が競合しない場合、新たな実施形態を形成するために再度組み合わされてもよい。
【０１２９】
前述の事項は主に、本願の実施形態において提供される解決手段を端末の観点から説明している。前述の機能を実装するために、端末は、各機能を実行するための、対応するハードウェア構造及び／又はソフトウェアモジュールを含む。当業者であれば、本明細書で開示された実施形態において説明された例に含まれるユニット及びアルゴリズム段階を参照して、本願が、ハードウェア又はハードウェアとコンピュータソフトウェアとの組み合わせを用いて実装され得ることを容易に認識するはずである。ある機能がハードウェアを用いて実行されるのか、又はコンピュータソフトウェアで動くハードウェアによって実行されるのかは、技術的解決手段の特定の応用及び設計制約で決まる。当業者であれば、異なる方法を用いて、説明された機能を特定の応用ごとに実装することができるが、この実装例が本願の範囲を超えるものとみなされるべきではない。
【０１３０】
本願の実施形態において、端末は、前述の方法の例に基づいて、複数の機能モジュールに分割されてよい。例えば、各機能モジュールは、各機能に基づく区分けによって取得されてよく、２つ又はそれより多くの機能が１つの処理モジュールに統合されてもよい。前述の統合されたモジュールは、ハードウェアの形態で実装されてもよく、ソフトウェア機能モジュールの形態で実装されてもよい。本願の実施形態では、モジュールの区分けは一例であって、単なる論理的機能の区分けであることに留意されたい。実際の実装においては、別の区分け方式が用いられてもよい。以下では、各機能モジュールがそれぞれの対応する機能に基づく区分けによって取得される一例を説明する。
【０１３１】
本願の一実施形態が、無線リンク監視装置を提供する。本装置は、チップ（例えば、ベースバンドチップ又は通信チップ）であってもよく、端末であってもよい。本装置は、添付図面の図７、図８、図１０、図１２、及び図１４のうちのいずれか１つに示す無線リンク監視方法を実行するように構成されてよい。本装置は、これらの添付図面の任意の段階を実行するように構成されてよい。以下では、本装置が端末である一例を説明に用いる。図１６は、端末の簡略化された概略構造図である。理解しやすいように、また説明しやすいように、図１６では、携帯電話が端末の一例として用いられる。図１６に示すように、端末は、プロセッサ、メモリ、無線周波数回路、アンテナ、及び入力／出力装置を含む。プロセッサは主に、通信プロトコル及び通信データの処理、端末の制御、ソフトウェアプログラムの実行、及びソフトウェアプログラムのデータの処理などを行うように構成される。メモリは主に、ソフトウェアプログラム及びデータを格納するように構成される。無線周波数回路は主に、ベースバンド信号と無線周波数信号との間の変換を行い、無線周波数信号を処理するように構成される。アンテナは主に、無線周波数信号を電磁波として受信し、また送信するように構成される。タッチスクリーン、表示画面、又はキーボードなどの入力／出力装置は主に、ユーザが入力するデータを受信し、データをユーザに出力するように構成される。いくつかのタイプの端末は、入力／出力装置を有していないことがあることに留意されたい。
【０１３２】
データを送信する必要がある場合、送信対象データにベースバンド処理を行った後に、プロセッサはベースバンド信号を無線周波数回路に出力する。ベースバンド信号に無線周波数処理を行った後に、無線周波数回路は、無線周波数信号を電磁波としてアンテナから送信する。データが端末に送信されると、無線周波数回路は無線周波数信号をアンテナで受信し、無線周波数信号をベースバンド信号に変換し、ベースバンド信号をプロセッサに出力する。プロセッサは、ベースバンド信号をデータに変換し、当該データを処理する。説明しやすいように、図１６には、１つのメモリ及び１つのプロセッサのみが示されている。実際の端末製品が、１つ又は複数のプロセッサ及び１つ又は複数のメモリを有してよい。メモリは、記憶媒体又は記憶装置などとも呼ばれることがある。メモリは、プロセッサから独立して配置されてもよく、プロセッサと統合されてもよい。これは、本願の本実施形態において限定されない。
【０１３３】
本願の本実施形態において、受信機能及び送信機能を有するアンテナと無線周波数回路とは、端末の送受信機ユニットとみなされてよく、処理機能を有するプロセッサは端末の処理ユニットとみなされてよい。図１６に示すように、端末は、送受信機ユニット１６０１と処理ユニット１６０２とを含む。送受信機ユニットは、送受信機、送受信機、又は送受信機装置などとも呼ばれることがある。処理ユニットは、プロセッサ、処理ボード、処理モジュール、又は処理装置などとも呼ばれることがある。任意選択で、送受信機ユニット１６０１内の、受信機能を実装するように構成された構成要素が、受信ユニットとみなされてよく、送受信機ユニット１６０１内の、送信機能を実装するように構成された構成要素が、送信ユニットとみなされてよい。言い換えれば、送受信機ユニット１６０１は、受信ユニットと送信ユニットとを含む。送受信機ユニットは、場合によっては、送受信機、送受信機、又は送受信機回路などとも呼ばれることがある。受信ユニットは、場合によっては、受信機、受信機、又は受信機回路などとも呼ばれることがある。送信ユニットは、場合によっては、送信機、送信機、又は送信機回路などとも呼ばれることがある。
【０１３４】
例えば、処理ユニット１６０２は、添付図面の図７、図８、図１０、図１２、及び図１４のうちのいずれか１つの任意の段階を実行するように構成されてよい。
【０１３５】
上記に提供された任意の装置の関連内容に関する説明及び有益な効果については、前述の説明において提供された対応する方法の実施形態を参照されたい。詳細は、再度ここで説明しない。
【０１３６】
前述の実施形態の全て又は一部は、ソフトウェア、ハードウェア、ファームウェア、又はこれらの任意の組み合わせによって実装されてよい。これらの実施形態を実装するのにソフトウェアが用いられる場合、これらの実施形態の全て又は一部は、コンピュータプログラム製品の形態で実装されてよい。コンピュータプログラム製品は、１つ又は複数のコンピュータ命令を含む。コンピュータプログラム命令がロードされて、コンピュータで実行されると、本願の実施形態において説明された手順又は機能の全て又は一部が生み出される。コンピュータは、汎用コンピュータ、専用コンピュータ、コンピュータネットワーク、又は別のプログラム可能な装置であってもよい。コンピュータ命令は、コンピュータ可読記憶媒体に格納されてもよく、１つのコンピュータ可読記憶媒体から別のコンピュータ可読記憶媒体に伝送されてもよい。例えば、コンピュータ命令は、あるウェブサイト、コンピュータ、サーバ、又はデータセンタから、別のウェブサイト、コンピュータ、サーバ、又はデータセンタに、有線方式（例えば、同軸ケーブル、光ファイバ、又はデジタル加入者線（ｄｉｇｉｔａｌ  ｓｕｂｓｃｒｉｂｅｒ  ｌｉｎｅ、ＤＳＬ））又は無線方式（例えば、赤外線、電波、又はマイクロ波）で伝送されてよい。コンピュータ可読記憶媒体は、コンピュータがアクセス可能な任意の利用可能な媒体であっても、１つ又は複数の利用可能な媒体を統合したデータ記憶装置（例えば、サーバ又はデータセンタ）であってもよい。利用可能な媒体は、磁気媒体（例えば、フロッピーディスク、ハードディスク、又は磁気テープ）、光媒体（例えば、ＤＶＤ）、又は半導体媒体（例えば、ソリッドステートディスク（ｓｏｌｉｄ  ｓｔａｔｅ  ｄｉｓｋ  （ＳＳＤ））などであってもよい。
【０１３７】
本願は、複数の実施形態を参照して説明されているが、保護を主張する本願を実装する過程において、当業者であれば、添付図面、開示内容、及び添付の特許請求の範囲を考察することにより、開示された実施形態の別の変形例を理解して実装するであろう。特許請求の範囲において、「含む（ｃｏｍｐｒｉｓｉｎｇ）」は、別の構成要素又は別の段階を除外せず、「１つの（ａ）」又は「１つの（ｏｎｅ）」は、複数の場合を除外しない。単一のプロセッサ又は別のユニットが、特許請求の範囲に列挙される１つ又は複数の機能を実装してよい。いくつかの手段が互いに異なる従属クレームに記載されているが、これによって、これらの手段がより優れた効果を生み出すように組み合わされることができないことを意味しているわけではない。
【０１３８】
本願は、特定の特徴、及びその実施形態を参照して説明されているが、これらの特徴及び実施形態に対して、本願の趣旨及び範囲から逸脱することなく、様々な修正及び組み合わせが行われてよいことは明らかである。同様に、本明細書及び添付図面は、添付の特許請求の範囲により定められる本願の単に例示的な説明であり、本願の範囲を包含する修正、変形、組み合わせ、若しくは均等物のうちのいずれか又は全てとみなされる。当業者であれば、本願の趣旨及び範囲から逸脱することなく、本願に対して様々な修正及び変形を施すことができることは明らかである。本願は、本願のこれらの修正及び変形を包含することが意図されている。ただし、これらの修正及び変形が、以下の特許請求の範囲及びそれらの均等な技術によって定められる保護範囲に含まれる場合に限る。
【図１】
2020523939.tif 000003
【図２】
2020523939.tif 000004
【図３】
2020523939.tif 000005
【図４】
2020523939.tif 000006
【図５】
2020523939.tif 000007
【図６】
2020523939.tif 000008
【図７】
2020523939.tif 000009
【図８】
2020523939.tif 000010
【図９】
2020523939.tif 000011
【図１０】
2020523939.tif 000012
【図１１】
2020523939.tif 000013
【図１２】
2020523939.tif 000014
【図１３】
2020523939.tif 000015
【図１４】
2020523939.tif 000016
【図１５】
2020523939.tif 000017
【図１６】
2020523939.tif 000018
【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
無線リンク監視方法であって、前記無線リンク監視方法は、
端末の下位層が無線リンク品質の第１の値を検出する段階であって、前記第１の値は、チャネル状態情報−参照信号（ＣＳＩ−ＲＳ）及び／又はダウンリンク同期信号ブロック（ＳＳ  ｂｌｏｃｋ）の参照信号に基づいて取得される、段階と、
前記第１の値が第１の閾値Ｑｏｕｔより小さい又はこれと等しいと判定された場合、前記端末の前記下位層が第１のインジケーション情報を前記端末の上位層に送信する段階であって、前記第１のインジケーション情報は無線リンクが同期していないことを示すのに用いられる、段階と
を備える、無線リンク監視方法。
【請求項２】
前記第１のインジケーション情報は非同期（ＯＯＳ）インジケーション情報である、請求項１に記載の無線リンク監視方法。
【請求項３】
前記第１の値が第１の閾値Ｑｏｕｔより小さい又はこれと等しいと判定された場合、前記端末の前記下位層が第１のインジケーション情報を前記端末の上位層に送信する前記段階は、
前記ＳＳ  ｂｌｏｃｋの前記参照信号に基づいて取得される前記無線リンク品質の値と、前記ＣＳＩ−ＲＳに基づいて取得される前記無線リンク品質の値とが両方とも、前記第１の閾値Ｑｏｕｔより小さい又はこれと等しいと判定された場合、前記端末の前記下位層が前記第１のインジケーション情報を前記端末の前記上位層に送信する段階を有する、請求項１又は２に記載の無線リンク監視方法。
【請求項４】
端末の下位層が無線リンク品質の第１の値を検出する前記段階は、前記端末の前記下位層が前記第１の値をそれぞれの期間において決定する段階を有する、請求項１から３のいずれか一項に記載の無線リンク監視方法。
【請求項５】
前記第１の値が前記ＳＳ  ｂｌｏｃｋの前記参照信号に基づいて取得された場合、前記第１の値は、前記期間における複数のＳＳ  ｂｌｏｃｋの参照信号の無線リンク品質の平均値、前記期間において最強のＲＳＲＰを有する複数の参照信号の無線リンク品質の平均値、前記期間において閾値を超える無線リンク品質を有する複数の参照信号の無線リンク品質の平均値、若しくは前記期間における最高の無線リンク品質の値のうちのいずれか１つを含む、且つ／又は、
前記第１の値が前記ＣＳＩ−ＲＳに基づいて取得された場合、前記第１の値は、前記期間における複数のＣＳＩ−ＲＳの無線リンク品質の平均値、前記期間において最高の無線リンク品質を有する複数のＣＳＩ−ＲＳの無線リンク品質の平均値、前記期間において閾値を超える無線リンク品質を有する複数のＣＳＩ−ＲＳの無線リンク品質の平均値、若しくは前記期間における最高の無線リンク品質の値のうちのいずれか１つを含む、請求項４に記載の無線リンク監視方法。
【請求項６】
前記無線リンク監視方法はさらに、ネットワークデバイスにより送信される第１のメッセージを前記端末が受信する段階であって、前記第１のメッセージは、前記端末の前記下位層が前記第１の値を前記ＣＳＩ−ＲＳ及び／又は前記ＳＳ  ｂｌｏｃｋの前記参照信号に基づいて取得することを示すのに用いられる、段階を備える、請求項１から５のいずれか一項に記載の無線リンク監視方法。
【請求項７】
前記無線リンク監視方法はさらに
前記端末の前記下位層が前記無線リンク品質の第２の値を検出する段階であって、前記第２の値は、前記ＣＳＩ−ＲＳ及び／又は前記ＳＳ  ｂｌｏｃｋの前記参照信号に基づいて取得される、段階と、
前記第２の値が第２の閾値Ｑｉｎより大きい又はこれと等しいと判定された場合、前記端末の前記下位層が第２のインジケーション情報を前記端末の前記上位層に送信する段階であって、前記第２のインジケーション情報は、前記無線リンクが同期を回復したことを示すのに用いられる、段階と
を備える、請求項１に記載の無線リンク監視方法。
【請求項８】
前記第２のインジケーション情報は同期（ＩＳ）インジケーション情報である、請求項７に記載の無線リンク監視方法。
【請求項９】
前記端末の前記下位層が前記無線リンク品質の第２の値を検出する前記段階は具体的には、
前記端末の前記下位層が前記無線リンク品質の前記第２の値をタイマの計時期間に検出する段階であって、前記タイマは前記無線リンクの回復時間を設定するように構成される、段階を有する、請求項７又は８に記載の無線リンク監視方法。
【請求項１０】
前記第２の値が第２の閾値Ｑｉｎより大きい又はこれと等しいと判定された場合、前記端末の前記下位層が第２のインジケーション情報を前記端末の前記上位層に送信する前記段階は、
前記ＳＳ  ｂｌｏｃｋの前記参照信号に基づいて取得される前記無線リンク品質の値と、前記ＣＳＩ−ＲＳに基づいて取得される前記無線リンク品質の値とのうちいずれかが、前記第２の閾値Ｑｉｎより大きいと判定された場合、前記端末の前記下位層が前記第２のインジケーション情報を前記端末の前記上位層に送信する段階を有する、請求項７から９のいずれか一項に記載の無線リンク監視方法。
【請求項１１】
前記端末の前記下位層が前記無線リンク品質の第２の値を検出する前記段階は、前記端末の前記下位層が前記第２の値をそれぞれの期間において取得する段階を有する、請求項７から１０のいずれか一項に記載の無線リンク監視方法。
【請求項１２】
前記第２の値が前記ＳＳ  ｂｌｏｃｋの前記参照信号に基づいて取得された場合、前記第２の値は、前記期間における複数のＳＳ  ｂｌｏｃｋの参照信号の無線リンク品質の平均値、前記期間において最強のＲＳＲＰを有する複数の参照信号の無線リンク品質の平均値、前記期間において閾値を超える無線リンク品質を有する複数の参照信号の無線リンク品質の平均値、若しくは前記期間における最高の無線リンク品質の値のうちのいずれか１つを含む、且つ／又は、
前記第２の値が前記ＣＳＩ−ＲＳに基づいて取得された場合、前記第２の値は、前記期間における複数のＣＳＩ−ＲＳの無線リンク品質の平均値、前記期間において最高の無線リンク品質を有する複数のＣＳＩ−ＲＳの無線リンク品質の平均値、前記期間において閾値を超える無線リンク品質を有する複数のＣＳＩ−ＲＳの無線リンク品質の平均値、若しくは前記期間における最高の無線リンク品質の値のうちのいずれか１つを含む、請求項１１に記載の無線リンク監視方法。
【請求項１３】
前記無線リンク監視方法はさらに、ネットワークデバイスにより送信される第１のメッセージを前記端末が受信する段階であって、前記第１のメッセージは、前記端末の前記下位層が前記第２の値を前記ＣＳＩ−ＲＳ及び／又は前記ＳＳ  ｂｌｏｃｋの前記参照信号に基づいて取得することを示すのに用いられる、段階を備える、請求項７から１２のいずれか一項に記載の無線リンク監視方法。
【請求項１４】
前記第１のメッセージは無線リソース制御（ＲＲＣ）メッセージである、請求項６又は１３に記載の無線リンク監視方法。
【請求項１５】
前記期間はＮ個のＳＳ  ｂｕｒｓｔ  ｓｅｔ期間であり、Ｎは１より大きい若しくは１と等しい整数であり、前記Ｎ個のＳＳ  ｂｕｒｓｔ  ｓｅｔ期間のうちの１つは、１つ若しくは複数のＳＳ  ｂｌｏｃｋを含む、又は、
前記期間はＮ個のＣＳＩ−ＲＳ送信期間であり、Ｎは１より大きい若しくは１と等しい整数である、又は、
前記期間は、１つ若しくは複数のＳＳ  ｂｕｒｓｔ  ｓｅｔ期間と、１つ若しくは複数のＣＳＩ−ＲＳ送信期間との公倍数である、請求項５又は１２に記載の無線リンク監視方法。
【請求項１６】
無線リンク監視方法であって、前記無線リンク監視方法は、
端末の上位層がビーム検出結果メッセージを前記端末の下位層から受信する段階であって、前記ビーム検出結果メッセージは、ビーム監視の結果を示すのに用いられる、段階と、
前記端末の前記上位層が無線リンク監視手順を前記ビーム検出結果メッセージに基づいて制御する段階と
を備える、無線リンク監視方法。
【請求項１７】
端末の上位層がビーム検出結果メッセージを前記端末の下位層から受信する前記段階は具体的には、
前記端末の前記上位層がビーム障害回復インジケーション情報を前記端末の前記下位層から受信する段階であって、前記ビーム障害回復インジケーション情報は、ビーム障害回復を示すのに用いられる、段階を有する、請求項１６に記載の無線リンク監視方法。
【請求項１８】
前記端末の前記上位層が無線リンク監視手順を前記ビーム検出結果メッセージに基づいて制御する前記段階は具体的には、
前記端末の前記上位層がタイマを再始動する段階であって、前記タイマは無線リンクの回復時間を設定するように構成される、段階を有する、請求項１７に記載の無線リンク監視方法。
【請求項１９】
前記タイマはタイマＴ３１０である、請求項１８に記載の無線リンク監視方法。
【請求項２０】
前記端末の前記上位層が無線リンク監視手順を前記ビーム検出結果メッセージに基づいて制御する前記段階はさらに、
前記端末の前記上位層が、前記端末の前記上位層により受信される同期（ＩＳ）インジケーション情報の数を０に設定する段階を有する、請求項１７から１９のいずれか一項に記載の無線リンク監視方法。
【請求項２１】
前記端末の前記上位層が無線リンク監視手順を前記ビーム検出結果メッセージに基づいて制御する前記段階は具体的には、
前記端末の前記上位層がタイマを停止する段階であって、前記タイマは無線リンクの回復時間を設定するように構成される、段階を有する、請求項１７に記載の無線リンク監視方法。
【請求項２２】
前記端末の前記上位層がビーム障害回復インジケーション情報を前記端末の前記下位層から受信する前記段階は具体的には、
前記端末の前記上位層が前記ビーム障害回復インジケーション情報を前記端末の前記下位層からタイマの計時期間に受信する段階であって、前記タイマは無線リンクの回復時間を設定するように構成される、段階を有する、請求項１７から２１のいずれか一項に記載の無線リンク監視方法。
【請求項２３】
端末の上位層がビーム検出結果メッセージを前記端末の下位層から受信する前記段階は具体的には、
前記端末の前記上位層がビーム障害インジケーション情報を前記端末の前記下位層から受信する段階であって、前記ビーム障害インジケーション情報は、ビーム障害を示すのに用いられる、段階を有する、請求項１６に記載の無線リンク監視方法。
【請求項２４】
前記端末の前記上位層が無線リンク監視手順を前記ビーム検出結果メッセージに基づいて制御する前記段階は具体的には、
タイマが始動する前に、前記ビーム障害インジケーション情報が受信された場合、前記端末の前記上位層が前記タイマを始動する段階であって、前記タイマは無線リンクの回復時間を設定するように構成される、段階を有する、請求項２３に記載の無線リンク監視方法。
【請求項２５】
前記端末の前記上位層が無線リンク監視手順を前記ビーム検出結果メッセージに基づいて制御する前記段階は具体的には、
前記ビーム障害インジケーション情報がタイマの計時期間に受信された場合、無線リンク障害が生じたと前記端末の前記上位層が判定する段階であって、前記タイマは無線リンクの回復時間を設定するように構成される、段階を有する、請求項２３に記載の無線リンク監視方法。
【請求項２６】
無線リンク監視装置であって、前記無線リンク監視装置は、下位層処理ユニット及び上位層処理ユニットを備え、
前記下位層処理ユニットは、
無線リンク品質の第１の値を検出することであって、前記第１の値は、チャネル状態情報−参照信号（ＣＳＩ−ＲＳ）及び／又はダウンリンク同期信号ブロック（ＳＳ  ｂｌｏｃｋ）の参照信号に基づいて取得される、検出することと、
前記第１の値が第１の閾値Ｑｏｕｔより小さい又はこれと等しいと判定された場合、第１のインジケーション情報を前記上位層処理ユニットに送信することであって、前記第１のインジケーション情報は無線リンクが同期していないことを示すのに用いられる、送信することと
を行うように構成される、無線リンク監視装置。
【請求項２７】
前記第１のインジケーション情報は非同期（ＯＯＳ）インジケーション情報である、請求項２６に記載の無線リンク監視装置。
【請求項２８】
前記第１の値が第１の閾値Ｑｏｕｔより小さい又はこれと等しいと判定された場合、第１のインジケーション情報を前記上位層処理ユニットに前記送信することは、
前記ＳＳ  ｂｌｏｃｋの前記参照信号に基づいて取得される前記無線リンク品質の値と、前記ＣＳＩ−ＲＳに基づいて取得される前記無線リンク品質の値とが両方とも、前記第１の閾値Ｑｏｕｔより小さい又はこれと等しいと判定された場合、前記第１のインジケーション情報を前記上位層処理ユニットに送信することを含む、請求項２６又は２７に記載の無線リンク監視装置。
【請求項２９】
無線リンク品質の第１の値を前記検出することは、前記第１の値をそれぞれの期間において決定することを含む、請求項２６から２８のいずれか一項に記載の無線リンク監視装置。
【請求項３０】
前記第１の値が前記ＳＳ  ｂｌｏｃｋの前記参照信号に基づいて取得された場合、前記第１の値は、前記期間における複数のＳＳ  ｂｌｏｃｋの参照信号の無線リンク品質の平均値、前記期間において最強のＲＳＲＰを有する複数の参照信号の無線リンク品質の平均値、前記期間において閾値を超える無線リンク品質を有する複数の参照信号の無線リンク品質の平均値、若しくは前記期間における最高の無線リンク品質の値のうちのいずれか１つを含む、且つ／又は、
前記第１の値が前記ＣＳＩ−ＲＳに基づいて取得された場合、前記第１の値は、前記期間における複数のＣＳＩ−ＲＳの無線リンク品質の平均値、前記期間において最高の無線リンク品質を有する複数のＣＳＩ−ＲＳの無線リンク品質の平均値、前記期間において閾値を超える無線リンク品質を有する複数のＣＳＩ−ＲＳの無線リンク品質の平均値、若しくは前記期間における最高の無線リンク品質の値のうちのいずれか１つを含む、請求項２９に記載の無線リンク監視装置。
【請求項３１】
前記無線リンク監視装置はさらに送受信機ユニットを備え、
前記送受信機ユニットは、ネットワークデバイスにより送信される第１のメッセージを受信するように構成され、前記第１のメッセージは、前記第１の値が前記ＣＳＩ−ＲＳ及び／又は前記ＳＳ  ｂｌｏｃｋの前記参照信号に基づいて取得されることを示すのに用いられる、請求項２６から３０のいずれか一項に記載の無線リンク監視装置。
【請求項３２】
前記下位層処理ユニットはさらに、
前記無線リンク品質の第２の値を検出することであって、前記第２の値は前記ＣＳＩ−ＲＳ及び／又は前記ＳＳ  ｂｌｏｃｋの前記参照信号に基づいて取得される、検出することと、
前記第２の値が第２の閾値Ｑｉｎより大きい又はこれと等しいと判定された場合、第２のインジケーション情報を前記上位層処理ユニットに送信することであって、前記第２のインジケーション情報は前記無線リンクが同期を回復したことを示すのに用いられる、送信することと
を行うように構成される、請求項２６に記載の無線リンク監視装置。
【請求項３３】
前記第２のインジケーション情報は同期（ＩＳ）インジケーション情報である、請求項３２に記載の無線リンク監視装置。
【請求項３４】
前記下位層処理ユニットは具体的には、
前記無線リンク品質の前記第２の値をタイマの計時期間に検出するように構成され、前記タイマは前記無線リンクの回復時間を設定するように構成される、請求項３２又は３３に記載の無線リンク監視装置。
【請求項３５】
前記第２の値が第２の閾値Ｑｉｎより大きい又はこれと等しいと判定された場合、第２のインジケーション情報を前記上位層処理ユニットに前記送信することは、
前記ＳＳ  ｂｌｏｃｋの前記参照信号に基づいて取得される前記無線リンク品質の値と、前記ＣＳＩ−ＲＳに基づいて取得される前記無線リンク品質の値とのうちいずれかが、前記第２の閾値Ｑｉｎより大きいと判定された場合、前記第２のインジケーション情報を前記上位層処理ユニットに送信することを含む、請求項３２から３４のいずれか一項に記載の無線リンク監視装置。
【請求項３６】
前記無線リンク品質の第２の値を前記検出することは、前記第２の値をそれぞれの期間において決定することを含む、請求項３２から３５のいずれか一項に記載の無線リンク監視装置。
【請求項３７】
前記第２の値が前記ＳＳ  ｂｌｏｃｋの前記参照信号に基づいて取得された場合、前記第２の値は、前記期間における複数のＳＳ  ｂｌｏｃｋの参照信号の無線リンク品質の平均値、前記期間において最強のＲＳＲＰを有する複数の参照信号の無線リンク品質の平均値、前記期間において閾値を超える無線リンク品質を有する複数の参照信号の無線リンク品質の平均値、若しくは前記期間における最高の無線リンク品質の値のうちのいずれか１つを含む、且つ／又は、
前記第２の値が前記ＣＳＩ−ＲＳに基づいて取得された場合、前記第２の値は、前記期間における複数のＣＳＩ−ＲＳの無線リンク品質の平均値、前記期間において最高の無線リンク品質を有する複数のＣＳＩ−ＲＳの無線リンク品質の平均値、前記期間において閾値を超える無線リンク品質を有する複数のＣＳＩ−ＲＳの無線リンク品質の平均値、若しくは前記期間における最高の無線リンク品質の値のうちのいずれか１つを含む、請求項３６に記載の無線リンク監視装置。
【請求項３８】
前記無線リンク監視装置はさらに送受信機ユニットを備え、
前記送受信機ユニットは、ネットワークデバイスにより送信される第１のメッセージを受信するように構成され、前記第１のメッセージは、前記下位層処理ユニットが前記第２の値を前記ＣＳＩ−ＲＳ及び／又は前記ＳＳ  ｂｌｏｃｋの前記参照信号に基づいて取得することを示すのに用いられる、請求項３４から３７のいずれか一項に記載の無線リンク監視装置。
【請求項３９】
前記第１のメッセージは無線リソース制御（ＲＲＣ）メッセージである、請求項３１又は３８に記載の無線リンク監視装置。
【請求項４０】
前記期間はＮ個のＳＳ  ｂｕｒｓｔ  ｓｅｔ期間であり、Ｎは１より大きい若しくは１と等しい整数であり、前記Ｎ個のＳＳ  ｂｕｒｓｔ  ｓｅｔ期間のうちの１つは、１つ若しくは複数のＳＳ  ｂｌｏｃｋを含む、又は、
前記期間はＮ個のＣＳＩ−ＲＳ送信期間であり、Ｎは１より大きい若しくは１と等しい整数である、又は、
前記期間は、１つ若しくは複数のＳＳ  ｂｕｒｓｔ  ｓｅｔ期間と、１つ若しくは複数のＣＳＩ−ＲＳ送信期間との公倍数である、請求項３０又は３７に記載の無線リンク監視装置。
【請求項４１】
無線リンク監視装置であって、前記無線リンク監視装置は、下位層処理ユニット及び上位層処理ユニットを備え、
前記上位層処理ユニットは、
ビーム検出結果メッセージを前記下位層処理ユニットから受信することであって、前記ビーム検出結果メッセージはビーム監視の結果を示すのに用いられる、受信することと、
無線リンク監視手順を前記ビーム検出結果メッセージに基づいて制御することと
を行うように構成される、無線リンク監視装置。
【請求項４２】
前記上位層処理ユニットは具体的には、ビーム障害回復インジケーション情報を前記下位層処理ユニットから受信するように構成され、前記ビーム障害回復インジケーション情報はビーム障害回復を示すのに用いられる、請求項４１に記載の無線リンク監視装置。
【請求項４３】
前記上位層処理ユニットは具体的には、端末の上位層がタイマを再始動することを可能にするように構成され、前記タイマは無線リンクの回復時間を設定するように構成される、請求項４２に記載の無線リンク監視装置。
【請求項４４】
前記タイマはタイマＴ３１０である、請求項４３に記載の無線リンク監視装置。
【請求項４５】
前記上位層処理ユニットは具体的には、端末の上位層により受信される同期（ＩＳ）インジケーション情報の数を０に設定するように構成される、請求項４２から４４のいずれか一項に記載の無線リンク監視装置。
【請求項４６】
前記上位層処理ユニットは具体的には、タイマを停止するように構成され、前記タイマは無線リンクの回復時間を設定するように構成される、請求項４２に記載の無線リンク監視装置。
【請求項４７】
前記上位層処理ユニットは具体的には、前記ビーム障害回復インジケーション情報を端末の下位層からタイマの計時期間に受信するように構成され、前記タイマは無線リンクの回復時間を設定するように構成される、請求項４２から４６のいずれか一項に記載の無線リンク監視装置。
【請求項４８】
前記上位層処理ユニットは具体的には、ビーム障害インジケーション情報を前記下位層処理ユニットから受信するように構成され、前記ビーム障害インジケーション情報はビーム障害を示すのに用いられる、請求項４１に記載の無線リンク監視装置。
【請求項４９】
前記上位層処理ユニットは具体的には、タイマが始動する前に前記ビーム障害インジケーション情報が受信された場合、前記タイマを始動するように構成され、前記タイマは無線リンクの回復時間を設定するように構成される、請求項４８に記載の無線リンク監視装置。
【請求項５０】
前記上位層処理ユニットは具体的には、前記ビーム障害インジケーション情報をタイマの計時期間に受信した場合、無線リンク障害が生じたと判定するように構成され、前記タイマは無線リンクの回復時間を設定するように構成される、請求項４８に記載の無線リンク監視装置。
【請求項５１】
無線リンク監視装置であって、前記無線リンク監視装置はプロセッサとメモリとを備え、前記プロセッサは請求項１から２５のいずれか一項に記載の無線リンク監視方法において対応する機能を実行する際に、前記無線リンク監視装置をサポートするように構成され、前記メモリは前記プロセッサに連結されるように構成され、前記メモリは、前記無線リンク監視装置に必要なプログラム及びデータを格納するように構成される、無線リンク監視装置。
【請求項５２】
コンピュータ可読記憶媒体であって、前記コンピュータ可読記憶媒体はコンピュータプログラムを格納し、前記コンピュータプログラムがプロセッサにより実行されると、請求項１から２５のいずれか一項に記載の無線リンク監視方法が実行される、コンピュータ可読記憶媒体。
【請求項５３】
請求項１から２５のいずれか一項に記載の無線リンク監視方法をコンピュータに実行させるための、コンピュータプログラム。
【手続補正２】
【補正対象書類名】明細書
【補正対象項目名】全文
【補正方法】変更
【補正の内容】
【発明の詳細な説明】
【技術分野】
【０００１】
本願の実施形態は通信技術の分野に関し、具体的には、無線リンク監視方法及び無線リンク監視装置に関する。
【背景技術】
【０００２】
ロングタームエボリューション（英語表記：ｌｏｎｇ  ｔｅｒｍ  ｅｖｏｌｕｔｉｏｎ、略してＬＴＥ）システムでは、接続モードにある端末が現在のサービングセルのダウンリンク品質を評価するのに、無線リンク監視（英語表記：ｒａｄｉｏ  ｌｉｎｋ  ｍｏｎｉｔｏｒｉｎｇ、略してＲＬＭ）が用いられる。接続モードにある端末が、ダウンリンク品質が端末の要件を満たすことができないと評価した場合、端末は、新たなセルを探索して選択し、無線リンクを再確立する。ＬＴＥシステムでは、無線リンク品質がセル固有の参照信号（英語表記：ｃｅｌｌ−ｓｐｅｃｉｆｉｃ  ｒｅｆｅｒｅｎｃｅ  ｓｉｇｎａｌ、略してＣＲＳ）に基づいて測定される。しかしながら、５Ｇ通信システムにはビーム伝送が導入され、各サブフレームで送信されるＣＲＳは考慮されていない。したがって、ＬＴＥシステムにおけるＲＬＭ技術が、５Ｇ通信システムの展開に適合できない。したがって、新たな無線リンク監視方法が早急に必要とされる。
【発明の概要】
【０００３】
本願は、無線リンク監視方法及び無線リンク監視装置を提供し、５Ｇ通信システムに適用され得る。
【０００４】
第１の態様によれば、本願は、無線リンク監視方法及び無線リンク監視装置を提供する。
【０００５】
可能性のある設計例において、本方法は、端末の上位層がビーム検出結果メッセージを端末の下位層から受信する段階であって、ビーム検出結果メッセージはビーム監視の結果を示すのに用いられる、段階と、端末の上位層が無線リンク監視手順をビーム検出結果メッセージに基づいて制御する段階とを含んでよい。この技術的解決手段では、無線リンク監視手順はビーム検出手順に関連している。詳細については、以下の説明を参照されたい。
【０００６】
可能性のある設計例において、端末の上位層がビーム検出結果メッセージを端末の下位層から受信する段階は具体的には、端末の上位層がビーム障害回復インジケーション情報を端末の下位層から受信する段階であって、ビーム障害回復インジケーション情報はビーム障害回復を示すのに用いられる、段階を含んでよい。この場合、任意選択で、端末の上位層が無線リンク監視手順をビーム検出結果メッセージに基づいて制御する段階は、以下の方式１又は方式２で実装されてよい。
【０００７】
方式１：タイマが再始動する、且つ／又は、端末の上位層により受信される同期ＩＳインジケーション情報の数が０に設定される。このようにして、無線リンクが回復したことを迅速に判定することができる。
【０００８】
方式２：タイマが停止する。このようにして、あるセルにおいて無線リンクが回復したかどうかを端末が判定する時間が長くなるので、無線リンクが当該セルで回復できるかどうかがより正確に判定され得る。
【０００９】
任意選択で、端末の上位層は、ビーム障害回復インジケーション情報を端末の下位層からタイマの計時期間に受信する。
【００１０】
可能性のある設計例において、端末の上位層がビーム検出結果メッセージを端末の下位層から受信する段階は具体的には、端末の上位層がビーム障害インジケーション情報を端末の下位層から受信する段階であって、ビーム障害インジケーション情報はビーム障害を示すのに用いられる、段階を含んでよい。この場合、任意選択で、端末の上位層が無線リンク監視手順をビーム検出結果メッセージに基づいて制御する段階は、以下の方式３又は方式４で実装されてよい。
【００１１】
方式３：タイマが始動する前に、ビーム障害インジケーション情報が受信された場合、端末の上位層はタイマを始動する。このようにして、無線リンク品質異常が迅速に判定され得るので、無線リンク回復が可能な限り迅速に達成され得る。
【００１２】
方式４：ビーム障害インジケーション情報がタイマの計時期間に受信された場合、端末の上位層は無線リンク障害が生じていると判定する。このようにして、セルの探索及び選択手順が可能な限り迅速に開始され得るので、無線リンク回復が可能な限り迅速に達成され得る。
【００１３】
上記に提供された任意の技術的解決手段におけるタイマは、無線リンクの回復時間を設定するように構成されてよい。具体的には、タイマは、無線リンクが切れる前に、無線リンクの回復時間を設定するように構成され得る。任意選択で、タイマは、無線リンクの最大回復時間を設定するように構成される。例えば、タイマはタイマＴ３１０であってよい。
【００１４】
同様に、本願は無線リンク監視装置を提供し、本装置は、第１の態様の無線リンク監視方法を実装してよい。例えば、本装置はチップ（ベースバンドチップ又は通信チップなど）であってもよく、又は端末であってもよく、また本装置は、ソフトウェア若しくはハードウェアを用いることにより、又は対応するソフトウェアをハードウェアで実行することにより、前述の方法を実装してよい。
【００１５】
可能性のある設計例において、本装置はプロセッサ及びメモリを含んでよい。プロセッサは、第１の態様の方法における対応する機能を実行する際に、本装置をサポートするように構成される。メモリはプロセッサに連結するように構成され、メモリは、本装置に必要なプログラム（命令）及びデータを格納する。さらに、本装置は、本装置と別のネットワークエレメントとの間の通信をサポートするように構成された通信インタフェースを含んでよい。通信インタフェースは送受信機であってよい。
【００１６】
可能性のある設計例において、本装置は、下位層処理ユニット及び上位層処理ユニットを含んでよい。上位層処理ユニットは、ビーム検出結果メッセージを下位層処理ユニットから受信することであって、ビーム検出結果メッセージはビーム監視の結果を示すのに用いられる、受信することと、無線リンク監視手順をビーム検出結果メッセージに基づいて制御することとを行うように構成される。
【００１７】
可能性のある設計例において、上位層処理ユニットは具体的には、ビーム障害回復インジケーション情報を下位層処理ユニットから受信するように構成されてよく、ビーム障害回復インジケーション情報はビーム障害回復を示すのに用いられる。この場合、任意選択で、上位層処理ユニットが無線リンク監視手順をビーム検出結果メッセージに基づいて制御することは、上記の方式１又は方式２で実装されてよい。
【００１８】
可能性のある設計例において、上位層処理ユニットは具体的には、ビーム障害インジケーション情報を下位層処理ユニットから受信するように構成されてよく、ビーム障害インジケーション情報はビーム障害を示すのに用いられる。この場合、任意選択で、上位層処理ユニットが無線リンク監視手順をビーム検出結果メッセージに基づいて制御することは、上記の方式３又は方式４で実装されてよい。
【００１９】
第２の態様によれば、本願はさらに、無線リンク監視方法及び無線リンク監視装置を提供する。
【００２０】
可能性のある設計例において、本方法は、端末の下位層が無線リンク品質の第１の値を検出する段階であって、第１の値は、チャネル状態情報−参照信号（英語表記：ｃｈａｎｎｅｌ  ｓｔａｔｅ  ｉｎｆｏｒｍａｔｉｏｎ−ｒｅｆｅｒｅｎｃｅ  ｓｉｇｎａｌ、略してＣＳＩ−ＲＳ）及び／又はダウンリンク同期信号ブロック（英語表記：ｓｙｎｃｈｒｏｎｉｚａｔｉｏｎ  ｓｉｇｎａｌ  ｂｌｏｃｋ、略してＳＳ  ｂｌｏｃｋ）の参照信号に基づいて取得される、段階と、第１の値が第１の閾値より小さい又はこれと等しいと判定された場合、端末の下位層が第１のインジケーション情報を端末の上位層に送信する段階であって、第１のインジケーション情報は無線リンクが同期していないことを示すのに用いられる、段階とを含んでよい。任意選択で、第１のインジケーション情報は非同期（英語表記：ｏｕｔ−ｏｆ−ｓｙｎｃ、略してＯＯＳ）インジケーション情報である。この技術的解決手段では、無線リンク品質はＣＳＩ−ＲＳ及び／又はＳＳ  ｂｌｏｃｋの参照信号に基づいて取得され、無線リンク監視が実行される。したがって、本方法は５Ｇ通信システムに適用され得る。
【００２１】
可能性のある設計例において、本方法はさらに、端末の下位層が無線リンク品質の第２の値を検出する段階であって、第２の値はＣＳＩ−ＲＳ及び／又はＳＳ  ｂｌｏｃｋの参照信号に基づいて取得される、段階と、第２の値が第２の閾値より小さい又はこれと等しいと判定された場合、端末の下位層が第２のインジケーション情報を端末の上位層に送信する段階であって、第２のインジケーション情報は無線リンクが同期を回復したことを示すのに用いられる、段階とを含む。任意選択で、第２のインジケーション情報は同期（英語表記：ｉｎ−ｓｙｎｃ、略してＩＳ）インジケーション情報である。
【００２２】
可能性のある設計例において、端末の下位層が無線リンク品質の第２の値を検出する段階は具体的には、端末の下位層が無線リンク品質の第２の値をタイマＴ３１０の計時期間に検出する段階を含んでよい。任意選択で、タイマＴ３１０の計時期間に、端末の下位層は、ある期間の間隔で無線リンク品質を検出し、第２の値を取得してよい。当該期間の関連説明については、以下の説明を参照されたい。詳細は、ここで説明しない。
【００２３】
同様に、本願は無線リンク監視装置を提供し、本装置は第２の態様の無線リンク監視方法を実装してよい。例えば、本装置はチップ（ベースバンドチップ又は通信チップなど）であってもよく、又は端末であってもよく、また本装置は、ソフトウェア若しくはハードウェアを用いることにより、又は対応するソフトウェアをハードウェアで実行することにより、前述の方法を実装してよい。
【００２４】
可能性のある設計例において、本装置はプロセッサ及びメモリを含んでよい。プロセッサは、第２の態様の方法における対応する機能を実行する際に、本装置をサポートするように構成される。メモリはプロセッサに連結するように構成され、メモリは、本装置に必要なプログラム（命令）及びデータを格納する。さらに、本装置は、本装置と別のネットワークエレメントとの間の通信をサポートするように構成された通信インタフェースを含んでよい。通信インタフェースは送受信機であってよい。
【００２５】
可能性のある設計例において、本装置は、下位層処理ユニット及び上位層処理ユニットを含んでよい。下位層処理ユニットは、無線リンク品質の第１の値を検出することであって、第１の値はチャネル状態情報−参照信号ＣＳＩ−ＲＳ及び／又はダウンリンク同期信号ブロックＳＳ  ｂｌｏｃｋの参照信号に基づいて取得される、検出することと、第１の値が第１の閾値より小さい又はこれと等しいと判定された場合、第１のインジケーション情報を上位層処理ユニットに送信することであって、第１のインジケーション情報は無線リンクが同期していないことを示すのに用いられる、送信することとを行うように構成される。任意選択で、第１のインジケーション情報は非同期ＯＯＳインジケーション情報である。
【００２６】
可能性のある設計例において、下位層処理ユニットはさらに、無線リンク品質の第２の値を検出することであって、第２の値はＣＳＩ−ＲＳ及び／又はＳＳ  ｂｌｏｃｋの参照信号に基づいて取得される、検出することと、第２の値が第２の閾値より小さい又はこれと等しいと判定された場合、第２のインジケーション情報を上位層処理ユニットに送信することであって、第２のインジケーション情報は無線リンクが同期を回復したことを示すのに用いられる、送信することとを行うように構成される。任意選択で、第２のインジケーション情報は同期ＩＳインジケーション情報である。
【００２７】
可能性のある設計例において、下位層処理ユニットは具体的には、無線リンク品質の第２の値をタイマＴ３１０の計時期間に検出するように構成される。
【００２８】
可能性のある設計例において、下位層処理ユニット及び上位層処理ユニットは、２つのチップに別々に配置されてもよく、１つのチップに統合されてもよい。
【００２９】
第３の態様によれば、本願はさらに、インジケーション方法及びインジケーション装置を提供する。
【００３０】
可能性のある設計例において、本方法は、ネットワークデバイスが第１のメッセージを端末に送信する段階であって、第１のメッセージは、端末が無線リンク品質の値を参照信号に基づいて取得する際の方式を示すのに用いられる、段階を含んでよい。この技術的解決手段では、ネットワークデバイスは、第１のメッセージを用いて無線リンク品質の値を取得する方式を示すので、無線リンク品質の値をどのように取得するかを端末が把握していないという技術的課題が解決される。
【００３１】
同様に、本願はインジケーション装置を提供し、本装置は第３の態様のインジケーション方法を実装してよい。例えば、本装置はネットワークデバイスであってよく、本装置は、ソフトウェア若しくはハードウェアを用いることにより、又は対応するソフトウェアをハードウェアで実行することにより、前述の方法を実装してよい。
【００３２】
可能性のある設計例において、本装置はプロセッサ及びメモリを含んでよい。プロセッサは、第３の態様の方法における対応する機能を実行する際に、本装置をサポートするように構成される。メモリはプロセッサに連結するように構成され、メモリは、本装置に必要なプログラム（命令）及びデータを格納する。さらに、本装置は、本装置と別のネットワークエレメントとの間の通信をサポートするように構成された通信インタフェースを含んでよい。通信インタフェースは送受信機であってよい。
【００３３】
可能性のある設計例において、本装置は送受信機ユニットを含んでよい。送受信機ユニットは、第１のメッセージを端末に送信するように構成され、第１のメッセージは、端末が無線リンク品質の値を参照信号に基づいて取得する際の方式を示すのに用いられる。
【００３４】
第４の態様によれば、本願はさらに、無線リンク品質を取得する方法及び装置を提供する。
【００３５】
可能性のある設計例において、本方法は、端末が第１のメッセージを受信し、次いで、無線リンク品質の値を参照信号に基づいて取得する方式を、第１のメッセージに基づいて決定する段階を含んでよい。この技術的解決手段では、ネットワークデバイスは、第１のメッセージを用いて無線リンク品質の値を取得する方式を示すので、無線リンク品質の値をどのように取得するかを端末が把握していないという技術的課題が解決される。
【００３６】
同様に、本願は無線リンク品質を取得する装置を提供し、本装置は第４の態様のインジケーション方法を実装してよい。例えば、本装置は端末であってよく、本装置は、ソフトウェア若しくはハードウェアを用いることにより、又は対応するソフトウェアをハードウェアで実行することにより、前述の方法を実装してよい。
【００３７】
可能性のある設計例において、本装置はプロセッサ及びメモリを含んでよい。プロセッサは、第４の態様の方法における対応する機能を実行する際に、本装置をサポートするように構成される。メモリはプロセッサに連結するように構成され、メモリは、本装置に必要なプログラム（命令）及びデータを格納する。さらに、本装置は、本装置と別のネットワークエレメントとの間の通信をサポートするように構成された通信インタフェースを含んでよい。通信インタフェースは送受信機であってよい。
【００３８】
可能性のある設計例において、本装置は、送受信機ユニット及び処理ユニットを含んでよい。送受信機ユニットは、第１のメッセージを受信するように構成される。処理ユニットは、無線リンク品質の値を参照信号に基づいて取得する方式を、第１のメッセージに基づいて決定するように構成される。
【００３９】
第３の態様又は第４の態様において提供される任意の技術的解決手段に基づいて、無線リンク品質の値を参照信号に基づいて取得する方式は、無線リンク品質の値をＳＳ  ｂｌｏｃｋの参照信号に基づいて生成する、又は無線リンク品質の値をＣＳＩ−ＲＳに基づいて生成する、又は無線リンク品質の値をＳＳ  ｂｌｏｃｋの参照信号及びＣＳＩ−ＲＳに基づいて生成する、のうちの１つ又は複数であってよい。
【００４０】
本願はさらに、コンピュータ記憶媒体を提供し、コンピュータ記憶媒体はコンピュータプログラム（命令）を格納し、プログラム（命令）がコンピュータで実行されると、コンピュータは前述の態様のいずれか１つによる方法を実行することが可能になる。
【００４１】
本願はさらに、コンピュータプログラム製品を提供し、コンピュータプログラム製品がコンピュータで実行されると、コンピュータは前述の態様のいずれか１つによる方法を実行することが可能になる。
【００４２】
上記に提供された任意の装置、コンピュータ記憶媒体、又はコンピュータプログラム製品は、前述の説明で提供された対応する方法を実行するように構成されることが理解されるであろう。したがって、任意の装置、コンピュータ記憶媒体、又はコンピュータプログラム製品により達成され得る有益な効果については、対応する方法の有益な効果を参照されたい。詳細は、再度ここで説明しない。
【図面の簡単な説明】
【００４３】
【図１】本願の一実施形態による、技術的解決手段が適用可能なシステムアーキテクチャの概略図である。
【００４４】
【図２】本願の一実施形態による、ＬＴＥシステムでのＲＬＭの概略フローチャートである。
【００４５】
【図３】本願の一実施形態による、図２に示す技術的解決手段のプロセスの概略図である。
【００４６】
【図４】本願の一実施形態による、図２に示す技術的解決手段のシーケンス図である。
【００４７】
【図５】本願の一実施形態によるビーム検出の概略フローチャートである。
【００４８】
【図６】本願の一実施形態による、図５に示す技術的解決手段のプロセスの概略図である。
【００４９】
【図７】本願の一実施形態による無線リンク監視方法の概略フローチャートである。
【００５０】
【図８】本願の一実施形態による別の無線リンク監視方法の概略フローチャートである。
【００５１】
【図９】本願の一実施形態による、図８に示す技術的解決手段のシーケンス図である。
【００５２】
【図１０】本願の一実施形態による別の無線リンク監視方法の概略フローチャートである。
【００５３】
【図１１】本願の一実施形態による、図１０に示す技術的解決手段のシーケンス図である。
【００５４】
【図１２】本願の一実施形態による別の無線リンク監視方法の概略フローチャートである。
【００５５】
【図１３】本願の一実施形態による、図１２に示す技術的解決手段のシーケンス図である。
【００５６】
【図１４】本願の一実施形態による別の無線リンク監視方法の概略フローチャートである。
【００５７】
【図１５】本願の一実施形態による、図１４に示す技術的解決手段のシーケンス図である。
【００５８】
【図１６】本願の一実施形態による無線リンク監視装置の概略構造図である。
【発明を実施するための形態】
【００５９】
本願において提供される技術的解決手段は、ＲＬＭ技術が導入される様々な通信システムに適用され得る。例えば、ＲＬＭ技術、５Ｇ通信システム、将来の進化型システム、又は複数の通信融合システムが、既存の通信システムに基づいて導入される。複数の応用シナリオ、例えば、マシン間（英語表記：ｍａｃｈｉｎｅ  ｔｏ  ｍａｃｈｉｎｅ、略してＭ２Ｍ）通信シナリオ、Ｄ２Ｍ通信シナリオ、マクロ−マイクロ間通信シナリオ、高速大容量（英語表記：ｅｎｈａｎｃｅｄ  ｍｏｂｉｌｅ  ｂｒｏａｄｂａｎｄ、略してｅＭＢＢ）通信シナリオ、超高信頼低遅延通信（英語表記：ｕｌｔｒａ  ｒｅｌｉａｂｌｅ  ＆  ｌｏｗ  ｌａｔｅｎｃｙ  ｃｏｍｍｕｎｉｃａｔｉｏｎ、略してｕＲＬＬＣ）シナリオ、大規模マシンタイプ通信（英語表記：ｍａｓｓｉｖｅ  ｍａｃｈｉｎｅ  ｔｙｐｅ  ｃｏｍｍｕｎｉｃａｔｉｏｎｓ、略してｍＭＴＣ）シナリオがあり得る。これらのシナリオは、限定されるものではないが、端末と端末との間の通信シナリオ、ネットワークデバイスとネットワークデバイスとの間の通信シナリオ、及びネットワークデバイスと端末との間の通信シナリオなどを含んでよい。あるいは、本願において提供される技術的解決手段は、５Ｇ通信システムにおける、端末と端末との間の通信シナリオ、又はネットワークデバイスとネットワークデバイスとの間の通信シナリオなどに適用されてよい。
【００６０】
図１は、通信システムの概略図である。通信システムは、少なくとも１つのネットワークデバイス１００（１つのネットワークデバイス１００のみが示されている）と、ネットワークデバイス１００に接続された１つ又は複数の端末２００とを含んでよい。
【００６１】
ネットワークデバイス１００は、端末２００と通信できるデバイスであってよい。ネットワークデバイス１００は、中継ノード又はアクセスポイントなどであってよい。ネットワークデバイス１００は、移動通信用グローバルシステム（英語表記：ｇｌｏｂａｌ  ｓｙｓｔｅｍ  ｆｏｒ  ｍｏｂｉｌｅ  ｃｏｍｍｕｎｉｃａｔｉｏｎｓ、略してＧＳＭ（登録商標））又は符号分割多元接続（英語表記：ｃｏｄｅ  ｄｉｖｉｓｉｏｎ  ｍｕｌｔｉｐｌｅ  ａｃｃｅｓｓ、略してＣＤＭＡ）ネットワークにおけるベーストランシーバ基地局（英語表記：ｂａｓｅ  ｔｒａｎｓｃｅｉｖｅｒ  ｓｔａｔｉｏｎ、略してＢＴＳ）であってもよく、広帯域符号分割多元接続（英語表記：ｗｉｄｅｂａｎｄ  ｃｏｄｅ  ｄｉｖｉｓｉｏｎ  ｍｕｌｔｉｐｌｅ  ａｃｃｅｓｓ、略してＷＣＤＭＡ（登録商標））におけるＮＢ（英語表記：ＮｏｄｅＢ）であってもよく、ＬＴＥにおけるｅＮＢ又はｅＮｏｄｅＢ（英語表記：ｅｖｏｌｖｅｄ  ＮｏｄｅＢ）であってもよい。ネットワークデバイス１００は代替的に、クラウド型無線アクセスネットワーク（英語表記：ｃｌｏｕｄ  ｒａｄｉｏ  ａｃｃｅｓｓ  ｎｅｔｗｏｒｋ、略してＣＲＡＮ）シナリオにおける無線制御装置であってもよい。ネットワークデバイス１００は代替的に、５Ｇネットワークにおけるネットワークデバイスであっても、将来の進化型ネットワークにおけるネットワークデバイスであってもよく、又はウェアラブルデバイス若しくは車載デバイスなどであってもよい。
【００６２】
端末２００は、ユーザ機器（英語表記：ｕｓｅｒ  ｅｑｕｉｐｍｅｎｔ、略してＵＥ）、アクセス端末、ＵＥユニット、ＵＥ局、移動局、モバイルコンソール、遠隔局、遠隔端末、モバイルデバイス、ＵＥ端末、端末、無線通信デバイス、ＵＥエージェント、又はＵＥ装置などであってよい。アクセス端末は、セルラ方式電話、コードレス電話セット、セッション開始プロトコル（英語表記：ｓｅｓｓｉｏｎ  ｉｎｉｔｉａｔｉｏｎ  ｐｒｏｔｏｃｏｌ、略してＳＩＰ）電話、無線ローカルループ（英語表記：ｗｉｒｅｌｅｓｓ  ｌｏｃａｌ  ｌｏｏｐ、略してＷＬＬ）局、携帯情報端末（英語表記：ｐｅｒｓｏｎａｌ  ｄｉｇｉｔａｌ  ａｓｓｉｓｔａｎｔ、略してＰＤＡ）、無線通信機能を備えたハンドヘルドデバイス若しくはコンピューティングデバイス、無線モデムに接続された別の処理デバイス、車載デバイス、ウェアラブルデバイス、将来の５Ｇネットワークにおける端末、又は将来の進化型ＰＬＭＮネットワークにおける端末などであってよい。
【００６３】
図２は、ＬＴＥシステムにおけるＲＬＭの概略フローチャートである。図２に示す方法が、以下に挙げる段階を含んでよい。
【００６４】
Ｓ１０１：端末の下位層（例えば物理層）が、各無線フレーム（英語表記：ｒａｄｉｏ  ｆｒａｍｅ）（すなわち１０ｍｓ（ミリ秒））における無線リンク品質（英語表記：ｒａｄｉｏ  ｌｉｎｋ  ｑｕａｌｉｔｙ）の値を決定し、当該値を例えばＱｏｕｔで表され得る予め設定された閾値と比較し、当該値がＱｏｕｔより小さい場合、非同期（英語表記：ｏｕｔ−ｏｆ−ｓｙｎｃ、略してＯＯＳ）インジケーション情報を端末の上位層（例えばレイヤ３）に報告する。
【００６５】
無線リンク品質の値は、端末の下位層（例えば物理層）が信号対雑音比（英語表記：ｓｉｇｎａｌ−ｔｏ−ｎｏｉｓｅ  ｒａｔｉｏ、略してＳＮＲ）評価をセル固有の参照信号（英語表記：ｃｅｌｌ−ｓｐｅｃｉｆｉｃ  ｒｅｆｅｒｅｎｃｅ  ｓｉｇｎａｌｓ、略してＣＲＳ）の無線リンク品質インジケータに対して、無線フレームごとに最初の２００ｍｓで実行することにより取得される。無線リンク品質インジケータ（ＳＮＲ評価インジケータとも呼ばれる）は、例えば、限定されるものではないが、参照信号受信電力（英語表記：ｒｅｆｅｒｅｎｃｅ  ｓｉｇｎａｌ  ｒｅｃｅｉｖｅｄ  ｐｏｗｅｒ、略してＲＳＲＰ）及び参照信号受信品質（英語表記：ｒｅｆｅｒｅｎｃｅ  ｓｉｇｎａｌ  ｒｅｃｅｉｖｅｄ  ｑｕａｌｉｔｙ、略してＲＳＲＱ）であってよい。
【００６６】
Ｓ１０２：端末の下位層により報告されるＮ３１０個の連続したＯＯＳインジケーション情報を受信した後に、端末の上位層はタイマＴ３１０を始動する。計時期間がタイマＴ３１０に設定される。Ｎ３１０は、１より大きい又は１と等しい整数であってよい。
【００６７】
Ｓ１０３：タイマＴ３１０の計時期間に、端末の下位層は各無線フレームにおける無線リンク品質の値を決定し、当該値を例えばＱｉｎで表され得る予め設定された閾値と比較し、当該値がＱｉｎより大きい場合、同期（英語表記：ｉｎ−ｓｙｎｃ、略してＩＳ）インジケーション情報を端末の上位層に報告する。
【００６８】
Ｓ１０４：端末の下位層により報告されるＮ３１１個の連続したＩＳインジケーション情報を受信した場合、端末の上位層はタイマＴ３１０を停止する。Ｎ３１１は、１より大きい又は１と等しい整数であってよい。
【００６９】
端末の上位層が、端末の下位層により報告されるＮ３１０個の連続したＯＯＳインジケーション情報を受信したとすれば、この場合、無線リンク品質が異常であることが示されている。端末はタイマＴ３１０を始動し、タイマＴ３１０の計時期間に、無線リンクを回復できるかどうかを判定する。タイマＴ３１０の計時期間に、端末の上位層が端末の下位層により報告されるＮ３１１個の連続したＩＳインジケーション情報を受信した場合、端末はタイマＴ３１０を停止し、この場合、端末は無線リンクが回復したとみなす。これで、この無線リンク監視手順は終了する。
【００７０】
Ｓ１０５：タイマＴ３１０が終了しているが、端末の下位層により報告されるＮ３１１個の連続したＩＳインジケーション情報を端末の上位層が受信していない場合、端末の上位層は、無線リンク障害（英語表記：ｒａｄｉｏ  ｌｉｎｋ  ｆａｉｌｕｒｅ、略してＲＬＦ）が生じたと判定し、タイマＴ３１１を始動する。計時期間がタイマＴ３１１に設定される。
【００７１】
タイマＴ３１１に設定される計時期間は、タイマＴ３１０に設定される計時期間と等しくても、等しくなくてもよい。
【００７２】
Ｓ１０６：タイマＴ３１１の計時期間に、端末はセルの探索及び選択を行う。タイマＴ３１１が終了したときに、端末が新たなセルをまだ発見していない場合、端末は休止モード（英語表記：ｉｄｌｅ  ｍｏｄｅ）に入る。
【００７３】
端末はタイマＴ３１１を始動して、タイマＴ３１１の計時期間に、無線リンク回復（英語表記：ｒａｄｉｏ  ｌｉｎｋ  ｒｅｃｏｖｅｒｙ）がセルの探索及び選択によって実施できたかどうかを判定する。タイマＴ３１１の計時期間に、端末が新たなセルを発見した場合、これは、無線リンク回復がセルの探索及び選択によって達成されたことを示しており、端末はタイマＴ３１１を停止する。端末は、無線リンク回復がセルの探索及び選択によって達成されたとみなす。
【００７４】
図３は、図２に示す技術的解決手段のプロセスの概略図である。図３において、正常状態とは、無線リンク品質異常が検出される前の、接続モードにある端末の状態である。ＲＬＭプロセスとは、正常状態からタイマＴ３１０の終了までのプロセスである。ＲＬＭプロセスが正常状態においていつ開始するとみなされるかは、本願において限定されず、また実装プロセスの複数の方式に基づいて柔軟に設計されてよい。図３は、ほんの一例にすぎない。無線リンク回復プロセスとは、タイマＴ３１１の計時期間におけるプロセスである。
【００７５】
図４は、図２に示す技術的解決手段のシーケンス図である。図４では、端末の上位層が始動したタイマＴ３１０の計時期間に、Ｎ３１１個のＩＳインジケーション情報が受信された場合、これは、無線リンクが回復したとみなされるので、タイマＴ３１０は停止する。Ｎ３１１個のＩＳインジケーション情報が、タイマＴ３１０の計時期間に受信されていない場合、これは、無線リンク障害（すなわちＲＬＦ）が生じたとみなされる。セルの探索及び選択などのプロセスは、図４に示されていない。
【００７６】
ビーム（英語表記：ｂｅａｍ）の概念が通信システムに導入された後に、ビーム検出技術がさらに導入されている。ビームとは、通信リソースである。ビームには、ワイドビーム、ナロービーム、又は別のタイプのビームが含まれてよい。ビームを形成する技術が、ビームフォーミング（英語表記：ｂｅａｍｆｏｒｍｉｎｇ）技術又は別の技術的手段であってよい。ビームフォーミング技術は具体的には、デジタルビームフォーミング技術でも、アナログビームフォーミング技術でも、ハイブリッドビームフォーミング技術でもよい。異なるビームが、異なるリソースとみなされてよい。同じ情報又は異なる情報が、異なるビームを用いて送信されてよい。任意選択で、同じ又は類似の通信機能を有する複数のビームが、１本のビームとみなされてよい。１本のビームが、１つ又は複数のアンテナポートに対応してよく、またデータチャネル、制御チャネル、及びサウンディング信号などを伝送するのに用いられる。例えば、送信ビームとは、信号がアンテナから送り出された後に、空間の異なる方向に形成される信号強度の分布を指すことがある。受信ビームとは、アンテナから受信される無線信号の、空間の異なる方向に形成される信号強度の分布を指すことがある。
【００７７】
図５は、ビーム検出の概略フローチャートである。図５に示す方法が、以下に挙げる段階を含んでよい。
【００７８】
Ｓ２０１：端末、例えば端末の下位層が、１つ又は複数のサービングビーム（英語表記：ｓｅｒｖｉｎｇ  ｂｅａｍ）を用いて基地局により送信される参照信号のインジケータの値を検出し、当該値を閾値と比較し、当該値が閾値より小さい場合、ビーム障害（英語表記：ｂｅａｍ  ｆａｉｌｕｒｅ）が生じたと判定する。インジケータは、限定されるものではないが、例えばＲＳＲＰ又はＲＳＲＱであってよい。閾値は、前述の説明のＱｏｕｔと等しくても、等しくなくてもよい。
【００７９】
基地局は、複数のビームを生成してよく、サービングビームは、複数のビームのうちの、端末にサービスを提供するビームである。
【００８０】
Ｓ２０２：端末、例えば端末の下位層は、別のビーム（別のビームはサービングビーム以外のビームであってよい）を用いて基地局により送信される参照信号を検出し、少なくとも１つの参照信号の品質インジケータの値が閾値より大きい又はこれと等しいと判定された場合、ビーム障害回復（英語表記：ｂｅａｍ  ｆａｉｌｕｒｅ  ｒｅｃｏｖｅｒｙ）が行われたと判定する。品質インジケータは、限定されるものではないが、例えばＲＳＲＰ又はＲＳＲＱであってよい。閾値は、前述の説明のＱｉｎと等しくても、等しくなくてもよい。参照信号を送信するためのビームは、新たなサービングビームである。
【００８１】
Ｓ２０３：端末は、ビーム障害回復要求（英語表記：ｂｅａｍ  ｆａｉｌｕｒｅ  ｒｅｃｏｖｅｒｙ  ｒｅｑｕｅｓｔ）を基地局に送信し、ビーム障害回復要求は、新たなサービングビームを示す情報を含んでよい。
【００８２】
Ｓ２０４：基地局はビーム構成情報を端末に送信し、端末は、ビーム構成情報を受信した後に、ビーム構成を行い、ビーム構成情報確認応答を基地局に返す。その後、端末は、新たなサービングビームを用いて基地局により送信される情報を受信してよい。ビーム検出プロセスでは、段階Ｓ２０４が任意選択の段階であることが理解されるであろう。
【００８３】
図６は、図５に示す技術的解決手段の一例を示す。図６では、基地局は４つのビーム（ビーム１〜４でそれぞれ表されている）を生成する。本願は、これに限定されない。Ｓ２０１において、端末のサービングビームはビーム３であり、ビーム３は、図６の（ａ）に示すように、障害物などによって途切れている。Ｓ２０２において端末の下位層は、図６の（ｂ）に示すように、ビーム１、２、及び４を用いて送信される参照信号を検出し、ビーム１を新たなサービングビームと判定する。Ｓ２０３において端末は、図６の（ｃ）に示すように、ビーム１を用いてビーム障害回復要求を基地局に送信する。任意選択で、Ｓ２０４において基地局は、図６の（ｄ）に示すように、ビーム１を用いてビーム構成情報を端末に送信する。端末は、図６の（ｅ）に示すように、ビーム１を用いてビーム構成情報確認応答を基地局に送信する。
【００８４】
本願における用語「下位層」は、物理層（すなわち、レイヤ１）及び／又はデータリンク層（すなわち、レイヤ２）を含み、「上位層」は、レイヤ３を含むことに留意されたい。本願におけるタイマＴ３１０は、無線リンクの回復時間を設定するように構成されてよく、具体的には、無線リンクの最大回復時間を設定するように構成されてよい。タイマＴ３１１は、セルの探索及び選択の時間を設定するように構成されてよく、具体的には、セルの探索及び選択の最大時間を設定するように構成されてよい。
【００８５】
さらに、本明細書における用語「複数の（ａ  ｐｌｕｒａｌｉｔｙ  ｏｆ）」は、２つ又はそれより多くを意味することに留意されたい。本明細書における用語「第１の（ｆｉｒｓｔ）」及び「第２の（ｓｅｃｏｎｄ）」などは、異なる対象を単に区別することが意図されており、それらの順序を限定しない。本明細書における用語「及び／又は（ａｎｄ／ｏｒ）」は、関連する対象を説明するための対応関係のみを表現しており、３つの関係が存在し得ることを表している。例えば、Ａ及び／又はＢは、Ａのみが存在する、Ａ及びＢの両方が存在する、Ｂのみが存在するという３つの場合を表し得る。さらに、本明細書における記号「／」は一般に、関連する対象間の「又は（ｏｒ）」の関係を表しており、式に含まれる記号「／」は、関連する対象間の「割り算」の関係を表している。
【００８６】
以下では、本願において提供される技術的解決手段を、無線リンク監視方法の観点から説明する。本願の任意の実施形態において、Ｎ３１０及びＮ３１１は両方とも、１より大きい又は１と等しい整数であってよいことに留意されたい。さらに本願では、端末の下位層が無線リンク品質を周期的に判定することが、一例として説明に用いられている。本願は、これに限定されない。例えば、無線リンク品質の判定がトリガされてよい。
【００８７】
図７は、本願による無線リンク監視方法の概略フローチャートである。本方法は、以下に挙げる段階を含む。
【００８８】
Ｓ３０１：端末の下位層が無線リンク品質の値を決定し（当該値はそれぞれの期間において決定されてよい）、当該値を予め設定されたＱｏｕｔと比較し、当該値がＱｏｕｔより小さい場合、ＯＯＳインジケーション情報を端末の上位層に報告する。無線リンク品質の値は、ＣＳＩ−ＲＳ及び／又はＳＳ  ｂｌｏｃｋの参照信号に基づいて取得されてよく、例えば、ＣＳＩ−ＲＳ及び／又はＳＳ  ｂｌｏｃｋの参照信号の無線リンク品質インジケータに対して、現在の期間の前の期間にＳＮＲ評価を行うことにより取得されてよい。Ｑｏｕｔは、ＬＴＥシステムのＱｏｕｔと同じであっても、それとは異なっていてもよい。任意選択で、ＣＳＩ−ＲＳはビーム管理（英語表記：ｂｅａｍ  ｍａｎａｇｅｍｅｎｔ）に用いられてもよく、ビーム障害検出／回復（英語表記：ｂｅａｍ  ｆａｉｌｕｒｅ  ｄｅｔｅｃｔｉｏｎ／ｒｅｃｏｖｅｒｙ）に用いられてもよく、モビリティ測定に用いられてもよい。このことは、本願において限定されない。
【００８９】
Ｓ３０２については、前述のＳ１０２を参照されたい。もちろん、本願はこれに限定されない。
【００９０】
Ｓ３０３：タイマＴ３１０の計時期間に、端末の下位層は無線リンク品質の値を決定し（当該値はそれぞれの期間において決定されてよい）、当該値を予め設定されたＱｉｎと比較し、当該値がＱｉｎより大きい場合、ＩＳインジケーション情報を端末の上位層に報告する。無線リンク品質の値は、ＣＳＩ−ＲＳ及び／又はＳＳ  ｂｌｏｃｋの参照信号に基づいて取得され、例えば、ＣＳＩ−ＲＳ及び／又はＳＳ  ｂｌｏｃｋの参照信号の無線リンク品質インジケータに対して、現在の期間の前の期間にＳＮＲ評価を行うことにより取得されてよい。Ｓ３０３の期間は、Ｓ３０１の期間と同じであっても、それとは異なっていてもよい。Ｑｉｎは、ＬＴＥシステムのＱｉｎと同じであっても、それとは異なっていてもよい。
【００９１】
Ｓ３０４からＳ３０６については、前述のＳ１０４からＳ１０６を参照されたい。もちろん、本願はこれに限定されない。
【００９２】
本願の一実施形態において、無線リンク品質の値は、ＳＳ  ｂｌｏｃｋの参照信号の無線リンク品質インジケータに対して、現在の期間の前の期間にＳＮＲ評価を行うことにより取得されてよい。例えば、Ｓ３０１において、当該期間は現在の期間の前の最後の２００ｍｓであってよい。Ｓ３０３において、当該期間は現在の期間の前の最後の１００ｍｓであってよい。もちろん、本願はこれに限定されない。ＳＳ  ｂｌｏｃｋの参照信号は、限定されるものではないが、例えば、主同期信号（英語表記：ｐｒｉｍａｒｙ  ｓｙｎｃｈｒｏｎｉｚａｔｉｏｎ  ｓｉｇｎａｌ、略してＰＳＳ）、副同期信号（英語表記：ｓｅｃｏｎｄａｒｙ  ｓｙｎｃｈｒｏｎｉｚａｔｉｏｎ  ｓｉｇｎａｌ、略してＳＳＳ）、又は物理ブロードキャストチャネル（英語表記：ｐｈｙｓｉｃａｌ  ｂｒｏａｄｃａｓｔ  ｃｈａｎｎｅｌ、略してＰＢＣＨ）復調参照信号（英語表記：ｄｅｍｏｄｕｌａｔｉｏｎ  ｒｅｆｅｒｅｎｃｅ  ｓｉｇｎａｌ、略してＤＭＲＳ）のうちの少なくとも１つであってよい。無線リンク品質インジケータは、限定されるものではないが、例えばＲＳＲＰ又はＲＳＲＱであってよい。期間は、Ｎ個のＳＳ  ｂｕｒｓｔ  ｓｅｔ期間、例えば、２０×Ｎ（ｍｓ）であってよく、Ｎは１より大きい又は１と等しい整数である。１つのＳＳ  ｂｕｒｓｔ  ｓｅｔ期間は、１つ又は複数のＳＳ  ｂｌｏｃｋを含んでよい。１つの期間が複数のＳＳ  ｂｌｏｃｋを含む場合、無線リンク品質の値は、限定されるものではないが、例えば、当該期間における複数のＳＳ  ｂｌｏｃｋの参照信号の無線リンク品質の平均値、当該期間において最強のＲＳＲＰを有する複数の参照信号の無線リンク品質の平均値、当該期間において閾値を超える無線リンク品質を有する複数の参照信号の無線リンク品質の平均値、又は当該期間における最高の無線リンク品質の値のうちのいずれか１つであってよい。
【００９３】
本願の別の実施形態において、無線リンク品質の値は、チャネル状態情報−参照信号（英語表記：ｃｈａｎｎｅｌ  ｓｔａｔｅ  ｉｎｆｏｒｍａｔｉｏｎ−ｒｅｆｅｒｅｎｃｅ  ｓｉｇｎａｌ、略してＣＳＩ−ＲＳ）の無線リンク品質インジケータに対して、現在の期間の前の期間にＳＮＲ評価を行うことにより取得されてよい。例えば、Ｓ３０１において、当該期間は、現在の期間の前の最後の２００ｍｓであってよい。例えば、Ｓ３０３において、当該期間は現在の期間の前の最後の１００ｍｓであってよい。もちろん、本願はこれに限定されない。無線リンク品質インジケータは、限定されるものではないが、例えばＲＳＲＰ又はＲＳＲＱであってよい。当該期間は、Ｎ個のＣＳＩ−ＲＳ送信期間、例えば、４０×Ｎ（ｍｓ）であってよく、Ｎは１より大きい又は１と等しい整数である。無線リンク品質の値は、限定されるものではないが、例えば、１つの期間における複数のＣＳＩ−ＲＳの無線リンク品質の平均値、１つの期間において最高の無線リンク品質を有する複数のＣＳＩ−ＲＳの無線リンク品質の平均値、１つの期間において閾値を超える無線リンク品質を有する複数のＣＳＩ−ＲＳの無線リンク品質の平均値、又は１つの期間における最高の無線リンク品質の値のうちのいずれか１つであってよい。
【００９４】
本願の別の実施形態において、端末は、ＳＳ  ｂｌｏｃｋの参照信号及びＣＳＩ−ＲＳを用いて無線リンク監視を行ってよい。任意選択で、期間は、１つ又は複数のＳＳ  ｂｕｒｓｔ  ｓｅｔ期間と１つ又は複数のＣＳＩ−ＲＳ送信期間との公倍数であってよい。本実施形態において、ＳＳ  ｂｌｏｃｋの参照信号に基づいて取得される無線リンク品質の値は、限定されるものではないが、例えば、当該期間における複数のＳＳ  ｂｌｏｃｋの参照信号の無線リンク品質の平均値、当該期間において最強のＲＳＲＰを有する複数の参照信号の無線リンク品質の平均値、当該期間において閾値を超える無線リンク品質を有する複数の参照信号の無線リンク品質の平均値、又は当該期間における最高の無線リンク品質の値のうちのいずれか１つであってよい。ＣＳＩ−ＲＳに基づいて取得される無線リンク品質の値は、限定されるものではないが、例えば、当該期間における複数のＳＳ  ｂｌｏｃｋの参照信号の無線リンク品質の平均値、当該期間において最強のＲＳＲＰを有する複数の参照信号の無線リンク品質の平均値、当該期間において閾値を超える無線リンク品質を有する複数の参照信号の無線リンク品質の平均値、又は当該期間における最高の無線リンク品質の値のうちのいずれか１つであってよい。
【００９５】
任意選択で、ＳＳ  ｂｌｏｃｋの参照信号に基づいて取得される無線リンク品質の値と、ＣＳＩ−ＲＳに基づいて取得される無線リンク品質の値との両方がＱｏｕｔより小さい場合、端末の下位層はＯＯＳインジケーション情報を端末の上位層に報告する。あるいは、ＳＳ  ｂｌｏｃｋの参照信号に基づいて取得される無線リンク品質の値と、ＣＳＩ−ＲＳに基づいて取得される無線リンク品質の値とのうちいずれかがＱｏｕｔより小さい場合、端末の下位層はＯＯＳインジケーション情報を端末の上位層に報告する。あるいは、ＳＳ  ｂｌｏｃｋの参照信号に基づいて取得される無線リンク品質の値と、ＣＳＩ−ＲＳに基づいて取得される無線リンク品質の値とが（例えば、加重和によって）マージされ、マージ後に取得される値がＱｏｕｔより小さい場合、端末の下位層はＯＯＳインジケーション情報を端末の上位層に報告する。もちろん、本願はこれに限定されない。
【００９６】
任意選択で、ＳＳ  ｂｌｏｃｋの参照信号に基づいて取得される無線リンク品質の値と、ＣＳＩ−ＲＳに基づいて取得される無線リンク品質の値との両方がＱｉｎより大きい場合、端末の下位層はＩＳインジケーション情報を端末の上位層に報告する。あるいは、ＳＳ  ｂｌｏｃｋの参照信号に基づいて取得される無線リンク品質の値と、ＣＳＩ−ＲＳに基づいて取得される無線リンク品質の値とのうちいずれかがＱｉｎより大きい場合、端末の下位層はＩＳインジケーション情報を端末の上位層に報告する。あるいは、ＳＳ  ｂｌｏｃｋの参照信号に基づいて取得される無線リンク品質の値と、ＣＳＩ−ＲＳに基づいて取得される無線リンク品質の値とが（例えば、加重和によって）マージされ、マージ後に取得される値がＱｉｎより大きい場合、端末の下位層はＩＳインジケーション情報を端末の上位層に報告する。もちろん、本願はこれに限定されない。
【００９７】
ＳＳ  ｂｌｏｃｋの参照信号とＣＳＩ−ＲＳとのうちいずれか又はその両方に基づいて、端末が無線リンク品質の値を取得するかどうかは、プロトコルを用いて端末と基地局との間で予め指定されてもよく、第１のメッセージを用いて基地局により端末に提供されてもよいことに留意されたい。第１のメッセージは、限定されるものではないが、例えば、無線リソース制御（ｒａｄｉｏ  ｒｅｓｏｕｒｃｅ  ｃｏｎｔｒｏｌ、ＲＲＣ）メッセージ、媒体アクセス制御（ｍｅｄｉｕｍ  ａｃｃｅｓｓ  ｃｏｎｔｒｏｌ、ＭＡＣ）メッセージ、又はダウンリンク制御情報（ｄｏｗｎｌｉｎｋ  ｃｏｎｔｒｏｌ  ｉｎｆｏｒｍａｔｉｏｎ、ＤＣＩ）のうちのいずれか１つであってよい。具体的な方法が以下のとおりであってよい。すなわち、ネットワークデバイスが第１のメッセージを端末に送信し、第１のメッセージは、端末が無線リンク品質の値を参照信号に基づいて取得する際の方式を示すのに用いられる。端末は第１のメッセージを受信し、次いで、無線リンク品質の値を参照信号に基づいて取得する方式を決定する。無線リンク品質の値を参照信号に基づいて取得する方式は、無線リンク品質の値をＳＳ  ｂｌｏｃｋの参照信号に基づいて生成する、又は無線リンク品質の値をＣＳＩ−ＲＳに基づいて生成する、又は無線リンク品質の値をＳＳ  ｂｌｏｃｋの参照信号及びＣＳＩ−ＲＳに基づいて生成する、のうちの１つ又は複数であってよい。複数のネットワークエレメントが本願の本実施形態の説明に用いられるが、本願において保護される解決手段は、全てのネットワークエレメントが含まれている必要はない。
【００９８】
図８は、本願による無線リンク監視方法の概略フローチャートである。本方法は、以下に挙げる段階を含む。
【００９９】
Ｓ４０１〜Ｓ４０３については、Ｓ３０１〜Ｓ３０３を参照されたい。もちろん、本願はこれに限定されない。
【０１００】
Ｓ４０４：端末の下位層により送信される１つ若しくは複数のビーム障害回復インジケーション情報を受信した場合、又は複数の連続したビーム障害回復インジケーション情報を受信した場合、端末の上位層はタイマＴ３１０を停止する。これで、この無線リンク監視手順は終了する。タイマＴ３１０が停止したときに、端末の上位層は、端末の下位層により報告されるＮ３１１個の連続したＩＳインジケーション情報をまだ受信していない。
【０１０１】
端末の上位層がビーム障害回復を検出することは、端末が別のビームを用いて基地局と通信してよいことを示す。この場合、タイマＴ３１０は停止する。本実施形態では、ＬＴＥシステムでの解決手段と比較すると、無線リンクが回復したことが迅速に判定され得る。
【０１０２】
任意選択で、端末の下位層により報告されるＮ３１１個の連続したＩＳインジケーション情報を受信した場合、端末の上位層はタイマＴ３１０を停止する。これで、この無線リンク監視手順は終了する。タイマＴ３１０が停止したときに、端末の上位層はビーム障害回復をまだ検出していない。この段階及びＳ４０４は並列した段階であることが、理解されるであろう。この２つの段階は、以下のように理解されるであろう。すなわち、端末の上位層は、ビーム障害回復を検出した場合、且つ／又は端末の下位層により報告されるＮ３１１個の連続したＩＳインジケーション情報を受信した場合、タイマＴ３１０を停止する。
【０１０３】
図５を参照すると、ビーム監視手順が端末の下位層により行われることが分かるであろう。本願において提供されるいくつかの実施形態では、ビーム障害回復を検出した場合、端末の下位層は１つのビーム障害回復インジケーション情報を端末の上位層に送信してよく、ビーム障害回復インジケーション情報は、端末の下位層がビーム障害回復を検出したことを示すのに用いられる。端末の上位層が１つ又は複数のビーム障害回復インジケーション情報を受信した場合、又は端末の上位層が複数の連続したビーム障害回復インジケーション情報を受信した場合、上位層がビーム障害回復を検出したと判定される。端末の下位層が引き続いてビーム検出を実行してよいことが、理解されるであろう。本願では、下位層がビーム検出を実行するトリガ条件が限定されない。したがって、端末は、ビーム障害回復インジケーション情報を基地局に複数回送信してよい。さらに、ビームに対する環境などの要因の影響のために、下位層は通常、ビーム障害回復が行われたことを非周期的に判定するので、下位層はビーム障害回復インジケーション情報を上位層に非周期的に送信してよい。任意選択で、ビーム障害回復インジケーション情報はＩＳインジケーション情報であってもよく、新たなインジケーション情報であってもよい。
【０１０４】
Ｓ４０５〜Ｓ４０６については、Ｓ３０５〜Ｓ３０６を参照されたい。もちろん、本願はこれに限定されない。
【０１０５】
Ｓ４０５では、タイマＴ３１０が終了したときに、端末の上位層はビーム障害回復をまだ検出していない、且つ端末の下位層により報告されるＮ３１１個の連続したＩＳインジケーション情報をまだ受信していない。
【０１０６】
本実施形態において提供される技術的解決手段のシーケンス図が、図９に示されている。
【０１０７】
図１０は、本願による無線リンク監視方法の概略フローチャートである。本方法は、以下に挙げる段階を含む。
【０１０８】
Ｓ５０１〜Ｓ５０３については、Ｓ３０１〜Ｓ３０３を参照されたい。もちろん、本願はこれに限定されない。
【０１０９】
Ｓ５０４：端末の下位層により送信される１つ若しくは複数のビーム障害回復インジケーション情報を受信した場合、又は複数の連続したビーム障害回復インジケーション情報を受信した場合、端末の上位層はタイマＴ３１０を再始動する、且つ／又は端末の上位層により受信されるＩＳインジケーション情報の数を０に設定する。
【０１１０】
端末の上位層がビーム障害回復を検出する実装例については、前述の説明を参照されたい。詳細は、再度ここで説明しない。端末の上位層がビーム障害回復を検出することは、端末が別のビームを用いて基地局と通信してよいことを示す。この場合、タイマＴ３１０は再始動する、且つ／又は端末の上位層により受信されるＩＳインジケーション情報の数は０に設定される。言い換えれば、タイマＴ３１０は計時を再度始動する、且つ／又は端末の上位層により受信されるＩＳインジケーション情報の数は再度０から累積される。本実施形態では、ＬＴＥシステムでの解決手段とは異なり、現在のセルで無線リンクが回復したかどうかを端末が判定する時間が長くなるので、無線リンクが当該セルで回復できるかどうかがより正確に判定され得る。
【０１１１】
Ｓ５０５〜Ｓ５０７については、Ｓ３０４〜Ｓ３０６を参照されたい。もちろん、本願はこれに限定されない。
【０１１２】
本実施形態において提供される技術的解決手段のシーケンス図が、図１１に示されている。
【０１１３】
図１２は、本願による無線リンク監視方法の概略フローチャートである。本方法は、以下に挙げる段階を含む。
【０１１４】
Ｓ６０１については、Ｓ３０１を参照されたい。もちろん、本願はこれに限定されない。
【０１１５】
Ｓ６０２：端末の下位層により送信される１つ又は複数のビーム障害インジケーション情報を受信した場合、又は複数の連続したビーム障害インジケーション情報を受信した場合、端末の上位層はタイマＴ３１０を始動する。計時期間がタイマＴ３１０に設定される。タイマＴ３１０が始動したときに、端末の上位層は、端末の下位層により報告されるＮ３１０個の連続したＯＯＳインジケーション情報をまだ受信していない。
【０１１６】
端末の上位層がビーム障害を検出した場合、これは、サービングビームの品質が比較的低いことを示している。この場合、タイマＴ３１０が始動する。本実施形態では、ＬＴＥシステムでの解決手段とは異なり、無線リンク品質異常が迅速に判定され得るので、無線リンク回復が可能な限り迅速に達成され得る。
【０１１７】
任意選択で、本方法はさらに、端末の上位層が、端末の下位層により報告されるＮ３１０個の連続したＯＯＳインジケーション情報を受信しているが、ビーム障害をまだ検出していない場合、タイマＴ３１０を始動する段階を含んでよい。
【０１１８】
本願において提供されるいくつかの実施形態において、ビーム障害を検出した場合、端末の下位層は１つのビーム障害インジケーション情報を端末の上位層に送信してよく、ビーム障害インジケーション情報は、下位層がビーム障害を検出したことを示すのに用いられる。端末の上位層が１つ又は複数のビーム障害インジケーション情報を受信した場合、又は端末の上位層が複数の連続したビーム障害インジケーション情報を受信した場合、上位層がビーム障害を検出したと判定される。ビームについては、下位層は通常、ビーム障害が生じたことを非周期的に判定するので、下位層はビーム障害インジケーション情報を上位層に非周期的に送信してよいことが理解されるであろう。任意選択で、ビーム障害インジケーション情報はＯＯＳインジケーション情報であってもよく、新たなインジケーション情報であってもよい。
【０１１９】
Ｓ６０３〜Ｓ６０６については、Ｓ３０３〜Ｓ３０６を参照されたい。もちろん、本願はこれに限定されない。
【０１２０】
本実施形態において提供される技術的解決手段のシーケンス図が、図１３に示されている。
【０１２１】
図１４は、本願による無線リンク監視方法の概略フローチャートである。本方法は、以下に挙げる段階を含む。
【０１２２】
Ｓ７０１〜Ｓ７０３については、Ｓ３０１〜Ｓ３０３を参照されたい。もちろん、本願はこれに限定されない。
【０１２３】
Ｓ７０４：端末の下位層により送信される１つ又は複数のビーム障害インジケーション情報を受信した場合、又は複数の連続したビーム障害インジケーション情報を受信した場合、端末の上位層は、ＲＬＦが生じたと判定し、タイマＴ３１１を始動する。端末の上位層がビーム障害を検出した場合、タイマＴ３１０は終了せず、端末の下位層により報告されるＮ３１１個の連続したＩＳインジケーション情報を受信しない。
【０１２４】
端末の上位層によりビーム障害を検出することに関する説明については、前述の説明を参照されたい。詳細は、再度ここで説明しない。端末の上位層がビーム障害を検出したとき、この場合、これは、サービングビームの品質が比較的低いことを示している。この場合、ＲＬＦがすぐに判定され得る結果、セルの探索及び選択手順が可能な限り迅速に始動され得るので、無線リンク回復が可能な限り迅速に達成され得る。
【０１２５】
任意選択で、タイマＴ３１０が終了していないときに、端末の下位層により報告されるＮ３１１個の連続したＩＳインジケーション情報を端末の上位層が受信した場合、又は、タイマＴ３１０が終了し、端末の下位層により報告されるＮ３１１個の連続したＩＳインジケーション情報を端末の上位層が受信していない場合、関連する実装例については、前述の説明を参照されたい。詳細は、再度ここで説明しない。さらに、タイマＴ３１０が終了し、端末の上位層がビーム障害を検出せず、且つ端末の下位層により報告されるＮ３１１個の連続したＩＳインジケーション情報を受信していない場合、タイマＴ３１１が始動する。
【０１２６】
Ｓ７０５については、Ｓ３０６を参照されたい。もちろん、本願はこれに限定されない。
【０１２７】
添付図面の図８、図１０、図１２、及び図１４のうちのいずれか１つは図７に基づいて描かれていることに留意されたい。本願は、これに限定されない。例えば、これらの実施形態において、無線リンク品質インジケータは、ＣＳＩ−ＲＳ及びＳＳ  ｂｌｏｃｋの参照信号に基づいて取得されるように限定されなくてもよい。さらに、前述の説明において提供される任意の２つの実施形態が独立していてもよく、複数の実施形態の一部又は全ての特徴が、これらの特徴が競合しない場合、新たな実施形態を形成するために再度組み合わされてもよい。
【０１２８】
前述の事項は主に、本願の実施形態において提供される解決手段を端末の観点から説明している。前述の機能を実装するために、端末は、各機能を実行するための、対応するハードウェア構造及び／又はソフトウェアモジュールを含む。当業者であれば、本明細書で開示された実施形態において説明された例に含まれるユニット及びアルゴリズム段階を参照して、本願が、ハードウェア又はハードウェアとコンピュータソフトウェアとの組み合わせを用いて実装され得ることを容易に認識するはずである。ある機能がハードウェアを用いて実行されるのか、又はコンピュータソフトウェアで動くハードウェアによって実行されるのかは、技術的解決手段の特定の応用及び設計制約で決まる。当業者であれば、異なる方法を用いて、説明された機能を特定の応用ごとに実装することができるが、この実装例が本願の範囲を超えるものとみなされるべきではない。
【０１２９】
本願の実施形態において、端末は、前述の方法の例に基づいて、複数の機能モジュールに分割されてよい。例えば、各機能モジュールは、各機能に基づく区分けによって取得されてよく、２つ又はそれより多くの機能が１つの処理モジュールに統合されてもよい。前述の統合されたモジュールは、ハードウェアの形態で実装されてもよく、ソフトウェア機能モジュールの形態で実装されてもよい。本願の実施形態では、モジュールの区分けは一例であって、単なる論理的機能の区分けであることに留意されたい。実際の実装においては、別の区分け方式が用いられてもよい。以下では、各機能モジュールがそれぞれの対応する機能に基づく区分けによって取得される一例を説明する。
【０１３０】
本願の一実施形態が、無線リンク監視装置を提供する。本装置は、チップ（例えば、ベースバンドチップ又は通信チップ）であってもよく、端末であってもよい。本装置は、添付図面の図７、図８、図１０、図１２、及び図１４のうちのいずれか１つに示す無線リンク監視方法を実行するように構成されてよい。本装置は、これらの添付図面の任意の段階を実行するように構成されてよい。以下では、本装置が端末である一例を説明に用いる。図１６は、端末の簡略化された概略構造図である。理解しやすいように、また説明しやすいように、図１６では、携帯電話が端末の一例として用いられる。図１６に示すように、端末は、プロセッサ、メモリ、無線周波数回路、アンテナ、及び入力／出力装置を含む。プロセッサは主に、通信プロトコル及び通信データの処理、端末の制御、ソフトウェアプログラムの実行、及びソフトウェアプログラムのデータの処理などを行うように構成される。メモリは主に、ソフトウェアプログラム及びデータを格納するように構成される。無線周波数回路は主に、ベースバンド信号と無線周波数信号との間の変換を行い、無線周波数信号を処理するように構成される。アンテナは主に、無線周波数信号を電磁波として受信し、また送信するように構成される。タッチスクリーン、表示画面、又はキーボードなどの入力／出力装置は主に、ユーザが入力するデータを受信し、データをユーザに出力するように構成される。いくつかのタイプの端末は、入力／出力装置を有していないことがあることに留意されたい。
【０１３１】
データを送信する必要がある場合、送信対象データにベースバンド処理を行った後に、プロセッサはベースバンド信号を無線周波数回路に出力する。ベースバンド信号に無線周波数処理を行った後に、無線周波数回路は、無線周波数信号を電磁波としてアンテナから送信する。データが端末に送信されると、無線周波数回路は無線周波数信号をアンテナで受信し、無線周波数信号をベースバンド信号に変換し、ベースバンド信号をプロセッサに出力する。プロセッサは、ベースバンド信号をデータに変換し、当該データを処理する。説明しやすいように、図１６には、１つのメモリ及び１つのプロセッサのみが示されている。実際の端末製品が、１つ又は複数のプロセッサ及び１つ又は複数のメモリを有してよい。メモリは、記憶媒体又は記憶装置などとも呼ばれることがある。メモリは、プロセッサから独立して配置されてもよく、プロセッサと統合されてもよい。これは、本願の本実施形態において限定されない。
【０１３２】
本願の本実施形態において、受信機能及び送信機能を有するアンテナと無線周波数回路とは、端末の送受信機ユニットとみなされてよく、処理機能を有するプロセッサは端末の処理ユニットとみなされてよい。図１６に示すように、端末は、送受信機ユニット１６０１と処理ユニット１６０２とを含む。送受信機ユニットは、送受信機又は送受信機装置などとも呼ばれることがある。処理ユニットは、プロセッサ、処理ボード、処理モジュール、又は処理装置などとも呼ばれることがある。任意選択で、送受信機ユニット１６０１内の、受信機能を実装するように構成された構成要素が、受信ユニットとみなされてよく、送受信機ユニット１６０１内の、送信機能を実装するように構成された構成要素が、送信ユニットとみなされてよい。言い換えれば、送受信機ユニット１６０１は、受信ユニットと送信ユニットとを含む。送受信機ユニットは、場合によっては、送受信機又は送受信機回路などとも呼ばれることがある。受信ユニットは、場合によっては、受信機又は受信機回路などとも呼ばれることがある。送信ユニットは、場合によっては、送信機又は送信機回路などとも呼ばれることがある。
【０１３３】
例えば、処理ユニット１６０２は、添付図面の図７、図８、図１０、図１２、及び図１４のうちのいずれか１つの任意の段階を実行するように構成されてよい。
【０１３４】
上記に提供された任意の装置の関連内容に関する説明及び有益な効果については、前述の説明において提供された対応する方法の実施形態を参照されたい。詳細は、再度ここで説明しない。
【０１３５】
前述の実施形態の全て又は一部は、ソフトウェア、ハードウェア、ファームウェア、又はこれらの任意の組み合わせによって実装されてよい。これらの実施形態を実装するのにソフトウェアが用いられる場合、これらの実施形態の全て又は一部は、コンピュータプログラム製品の形態で実装されてよい。コンピュータプログラム製品は、１つ又は複数のコンピュータ命令を含む。コンピュータプログラム命令がロードされて、コンピュータで実行されると、本願の実施形態において説明された手順又は機能の全て又は一部が生み出される。コンピュータは、汎用コンピュータ、専用コンピュータ、コンピュータネットワーク、又は別のプログラム可能な装置であってもよい。コンピュータ命令は、コンピュータ可読記憶媒体に格納されてもよく、１つのコンピュータ可読記憶媒体から別のコンピュータ可読記憶媒体に伝送されてもよい。例えば、コンピュータ命令は、あるウェブサイト、コンピュータ、サーバ、又はデータセンタから、別のウェブサイト、コンピュータ、サーバ、又はデータセンタに、有線方式（例えば、同軸ケーブル、光ファイバ、又はデジタル加入者線（ｄｉｇｉｔａｌ  ｓｕｂｓｃｒｉｂｅｒ  ｌｉｎｅ、ＤＳＬ））又は無線方式（例えば、赤外線、電波、又はマイクロ波）で伝送されてよい。コンピュータ可読記憶媒体は、コンピュータがアクセス可能な任意の利用可能な媒体であっても、１つ又は複数の利用可能な媒体を統合したデータ記憶装置（例えば、サーバ又はデータセンタ）であってもよい。利用可能な媒体は、磁気媒体（例えば、フロッピーディスク、ハードディスク、又は磁気テープ）、光媒体（例えば、ＤＶＤ）、又は半導体媒体（例えば、ソリッドステートディスク（ｓｏｌｉｄ  ｓｔａｔｅ  ｄｉｓｋ  （ＳＳＤ））などであってもよい。
【０１３６】
本願は、複数の実施形態を参照して説明されているが、保護を主張する本願を実装する過程において、当業者であれば、添付図面、開示内容、及び添付の特許請求の範囲を考察することにより、開示された実施形態の別の変形例を理解して実装するであろう。特許請求の範囲において、「含む（ｃｏｍｐｒｉｓｉｎｇ）」は、別の構成要素又は別の段階を除外せず、「１つの（ａ）」又は「１つの（ｏｎｅ）」は、複数の場合を除外しない。単一のプロセッサ又は別のユニットが、特許請求の範囲に列挙される１つ又は複数の機能を実装してよい。いくつかの手段が互いに異なる従属クレームに記載されているが、これによって、これらの手段がより優れた効果を生み出すように組み合わされることができないことを意味しているわけではない。
【０１３７】
本願は、特定の特徴、及びその実施形態を参照して説明されているが、これらの特徴及び実施形態に対して、本願の趣旨及び範囲から逸脱することなく、様々な修正及び組み合わせが行われてよいことは明らかである。同様に、本明細書及び添付図面は、添付の特許請求の範囲により定められる本願の単に例示的な説明であり、本願の範囲を包含する修正、変形、組み合わせ、若しくは均等物のうちのいずれか又は全てとみなされる。当業者であれば、本願の趣旨及び範囲から逸脱することなく、本願に対して様々な修正及び変形を施すことができることは明らかである。本願は、本願のこれらの修正及び変形を包含することが意図されている。ただし、これらの修正及び変形が、以下の特許請求の範囲及びそれらの均等な技術によって定められる保護範囲に含まれる場合に限る。
【手続補正３】
【補正対象書類名】図面
【補正対象項目名】図８
【補正方法】変更
【補正の内容】
【図８】
2020523939.tif 000019
【国際調査報告】
2020523939.tif 000020
2020523939.tif 000021
2020523939.tif 000022
2020523939.tif 000023